(57)【特許請求の範囲】
【請求項１】
多重ネットワークにおいて、２つ以上の多数のネットワークインターフェースを通じてデータを同時伝送するための送信装置であって、
前記多数のネットワークインターフェースのうち少なくとも一つの接続可能なネットワークインターフェースについての情報を含むネットワーク選択方針を方針管理装置から取得するためにネットワーク情報を収集し、前記収集されたネットワーク情報を含み、前記ネットワーク選択方針を取得するために伝達される方針要請を第１ネットワークインターフェースを通して前記方針管理装置に伝達する情報取得部；
前記第１ネットワークインターフェースを通して管理装置に伝送されるデータを、前記方針管理装置から伝送される前記ネットワーク選択方針に基づいて、前記第１ネットワークインターフェースと少なくとも一つの第２ネットワークインターフェースとを通して同時に伝送されるように、２つ以上の部分データに分割し、前記ネットワーク選択方針に従って、前記２つ以上の部分データから前記第１ネットワークインターフェースを通して伝送されるべき第１部分データと、前記２つ以上の部分データから前記多数のネットワークインターフェースから選択される前記接続可能なネットワークインターフェースであると判断される前記第２ネットワークインターフェースを通して伝送されるべき第２部分データと、を選択する制御部；及び、
上記ネットワーク選択方針に基づいて前記多数のネットワークインターフェースのうちの前記少なくとも一つの接続可能なネットワークインターフェースから前記第２ネットワークインターフェースを選択し、前記第１ネットワークインターフェースを通して前記第１部分データを、かつ、前記ネットワーク選択方針に基づいて選択された前記第２ネットワークインターフェースを通して前記第２部分データを、同時に送信する通信部、を含むプロセッサを備える送信装置。
【請求項２】
前記少なくとも一つの接続可能なネットワークインターフェースについての前記情報は、前記少なくとも一つの接続可能なネットワークインターフェースの性能に基づいて取得された優先接続ネットワークインターフェース情報に対応し、前記優先接続ネットワークインターフェース情報は、前記送信装置が接続を試行することを許さない一つ以上のネットワークインターフェースを表す接続制限リストを含み、前記接続制限リストのネットワークインターフェースは、ＷｉＦｉネットワークに任意に設けられたネットワークインターフェースを備える、請求項１に記載の送信装置。
【請求項３】
多重ネットワークにおいて、２つ以上の多数のネットワークインターフェースを通じてデータを同時伝送するための送信装置の動作方法であって、当該方法がプロセッサによって実行され、
前記多数のネットワークインターフェースのうち少なくとも一つの接続可能なネットワークインターフェースについての情報を含むネットワーク選択方針を方針管理装置から取得するためにネットワーク情報を収集する段階；
前記収集されたネットワーク情報を含み、前記ネットワーク選択方針を取得するために伝達される方針要請を第１ネットワークインターフェースを通して前記方針管理装置に伝達する段階；
前記第１ネットワークインターフェースを通して管理装置に伝送されるデータを、前記ネットワーク選択方針に基づいて、前記第１ネットワークインターフェースと少なくとも一つの第２ネットワークインターフェースとを通して同時に伝送されるように、２つ以上の部分データに分割する段階；
前記ネットワーク選択方針に従って、前記２つ以上の部分データから前記第１ネットワークインターフェースを通して伝送されるべき第１部分データと、前記２つ以上の部分データから前記一つ以上の接続可能なネットワークインターフェースから選択される前記接続可能なネットワークインターフェースであると判断される前記第２ネットワークインターフェースを通して伝送されるべき第２部分データと、を選択する段階；
前記第１ネットワークインターフェースを通して前記第１部分データを、かつ、前記ネットワーク選択方針に基づいて選択された前記第２ネットワークインターフェースを通して前記第２部分データを、同時に送信する段階；
を含む、送信装置の動作方法。
【請求項４】
前記接続制限リストのネットワークインターフェースは、前記送信装置に対応するトラフィックを有しないネットワークインターフェースを含む、請求項２に記載の送信装置。
【請求項５】
前記優先接続ネットワークインターフェース情報は、前記送信装置が優先接続を誘導される一つ以上のネットワークインターフェースを表す優先接続リストを含む、請求項２に記載の送信装置。
【発明の詳細な説明】
【技術分野】
【０００１】
本発明は、同時データ伝送方法に関し、より詳しくは、多重ネットワーク環境でネットワーク選択方針に従って伝送対象データを分割して同時伝送するにあたり、端末装置が収集するネットワーク情報によって識別される多数のネットワークインターフェースの中から選別されたネットワークインターフェース情報を含むネットワーク選択方針を提供して端末装置の接続を誘導する多重ネットワークに基づく同時データ伝送サービス方法と、送信装置及び送信装置の動作方法、そして方針管理装置及び方針管理装置の動作方法に関するものである。
【背景技術】
【０００２】
最近、事業者は多数の無線技術に基づいたサービスを同時に提供する場合が多い。韓国内の場合、主要事業者はＷＣＤＭＡ、ＣＤＭＡ、ＷｉＢｒｏ及び最近では近距離無線ネットワークであるＷＬＡＮ（ＷｉＦｉ）技術まで導入してネットワークを構築し、サービスしている。更に、最近はＬＴＥ（Long Term Evolution）網が活発に導入されている。
【０００３】
このように色々なネットワークが混在する多重ネットワーク（Heterogeneous network）環境で端末装置がこれを介してデータサービスを利用する現方式は、端末装置使用者の直接的な変更による接続ネットワーク選択方式であって、事業者側の介入（controllability）が排除された方式であるため、事業者立場を考慮するとき望ましくない方式といえる。
【０００４】
一方、スマートフォン、タブレットＰＣなど多様な無線機器が増加しデータ料金が低価格となると共に多様な大容量データサービスが増加している。このような状況で、事業者のネットワーク負荷率が急激に上昇するにつれて、網への投資費の多くの支出が必要となり、サービスの安定性が脅かされている。
【０００５】
よって、色々なネットワークが混在する多重ネットワーク環境でネットワークの状態に応じて能動的に端末装置の接続ネットワークを選択し、選択されたネットワークを利用した効率的なデータ伝送のための新しいサービス方法が求められている。
【０００６】
発明の開示
本発明は、上記の事情を勘案して創出されたもので、本発明で解決しようとする課題は、多重ネットワーク環境でネットワーク選択方針に従って伝送対象データを分割して同時伝送するにあたり、端末装置が収集するネットワーク情報によって識別される多数のネットワークインターフェースの中から選別されたネットワークインターフェース情報を含むネットワーク選択方針を提供して端末装置の接続を誘導できるようにすることにある。
【０００７】
上記目的を達成するための本発明の第１観点による送信装置は、現在位置に対応する接続対象ネットワークインターフェース情報を含むネットワーク選択方針を取得する情報取得部；上記ネットワーク選択方針に従って伝送対象データから分割された部分データを選択する制御部；及び、上記ネットワーク選択方針に基づいて上記接続対象ネットワークインターフェース情報に対応するネットワークインターフェースのうちの最適のネットワークに接続して上記選択された部分データを伝送する通信部；を含む。
【０００８】
望ましくは、上記接続対象ネットワークインターフェース情報は、上記現在位置で接続可能な少なくとも一つのネットワークインターフェースに対する装置性能を判断し、上記判断された少なくとも一つのネットワークインターフェースに対する装置性能に基づいた優先接続ネットワークインターフェース情報でありうる。
【０００９】
上記目的を達成するための本発明の第２観点による方針管理装置は、送信装置の位置に基づいて送信装置周辺のネットワークインターフェースとしての接続対象ネットワークインターフェース情報を生成する情報生成部；及び、上記生成された接続対象ネットワークインターフェース情報を含むネットワーク選択方針を上記送信装置に提供して上記接続対象ネットワークインターフェース情報のうちの最適のネットワークインターフェースへの接続を誘導する方針提供部；を含む。
【００１０】
望ましくは、上記ネットワークインターフェースは、上記送信装置が認証無しで接続可能なネットワークインターフェースを含み、上記接続対象ネットワークインターフェース情報は、上記送信装置が認証無しで接続可能なネットワークインターフェースのうち既に登録された地域別ネットワークインターフェースに関するリストに含まれるネットワークインターフェースに対する情報でありうる。
【００１１】
望ましくは、上記接続対象ネットワークインターフェース情報は、上記送信装置の位置で接続可能な少なくとも一つのネットワークインターフェースに対する装置性能を判断し、上記判断された少なくとも一つのネットワークインターフェースに対する装置性能に基づいた優先接続ネットワークインターフェース情報でありうる。
【００１２】
望ましくは、上記方針提供部は、上記接続対象ネットワークインターフェース情報に対応するネットワークインターフェースのうちの特定ネットワークインターフェースについて上記送信装置に対応するデータが感知されない場合、上記特定ネットワークへの接続を中止させるためのネットワーク選択方針を上記送信装置に提供できる。
【００１３】
上記目的を達成するための本発明の第３観点による方針管理装置の動作方法は、送信装置の位置に対応するネットワークインターフェースを識別する装置識別段階；上記ネットワークインターフェースと関連する接続対象ネットワークインターフェース情報を生成する情報生成段階；及び、上記接続対象ネットワークインターフェース情報を含むネットワーク選択方針を上記送信装置に提供して上記接続対象ネットワークインターフェース情報のうちの最適のネットワークインターフェースへの接続を誘導する接続誘導段階；を含む。
【００１４】
望ましくは、上記接続対象ネットワークインターフェース情報は、上記送信装置の位置で接続可能な少なくとも一つのネットワークインターフェースに対する装置性能を判断し、上記判断された少なくとも一つのネットワークインターフェースに対する装置性能に基づいた優先接続ネットワークインターフェース情報でありうる。
【００１５】
上記目的を達成するための本発明の第４観点による送信装置は、接続可能な少なくとも一つのネットワークインターフェースに対する装置性能と関連した優先接続ネットワークインターフェース情報を含むネットワーク選択方針を取得する情報取得部；上記ネットワーク選択方針に従って伝送対象データから分割された部分データを選択する制御部；及び、上記ネットワーク選択方針に含まれた上記優先接続ネットワークインターフェース情報によって上記優先接続ネットワークインターフェース情報に対応するネットワークインターフェースのうちの少なくとも一部に優先接続し、上記選択された部分データを伝送する通信部；を含む。
【００１６】
上記目的を達成するための本発明の第５観点による方針管理装置は、送信装置が接続可能な少なくとも一つのネットワークインターフェースに対する装置性能を判断する性能判断部；上記少なくとも一つのネットワークインターフェースに対する装置性能に基づいて優先接続ネットワークインターフェース情報を生成する情報生成部；及び、上記優先接続ネットワークインターフェース情報を含むネットワーク選択方針を上記送信装置に提供し、上記優先接続ネットワークインターフェース情報によって上記優先接続ネットワークインターフェース情報に対応するネットワークインターフェースのうちの少なくとも一部への優先接続を誘導する方針提供部；を含む。
【００１７】
望ましくは、上記性能判断部は、上記少なくとも一つのネットワークインターフェースの各々に対し、上記送信装置に対応する接続履歴情報及び動作状態情報のうちの少なくともどちらか一方を取得し、上記接続履歴情報及び動作状態情報のうちの少なくともどちらか一方を利用して上記少なくとも一つのネットワークインターフェースに対する装置性能を判断できる。
【００１８】
望ましくは、上記接続履歴情報は、上記少なくとも一つのネットワークインターフェースの各々に対する上記送信装置の接続試行回数、接続試行時の認証失敗率、及び接続回数のうちの少なくとも一つを含み、上記動作状態情報は、上記少なくとも一つのネットワークインターフェースの各々の誤動作有無、接続された装置の数、及び処理トラフィック量のうちの少なくとも一つを含むことができる。
【００１９】
望ましくは、上記優先接続ネットワークインターフェース情報は、上記少なくとも一つのネットワークインターフェースのうち、優先接続を誘導するネットワークインターフェースに対応する優先接続リスト、及び接続試行を制限するネットワークインターフェースに対応する接続制限リストのうちの少なくともどちらか一方を含むことができる。
【００２０】
上記目的を達成するための本発明の第６観点による送信装置の動作方法は、接続可能な少なくとも一つのネットワークインターフェースに対する装置性能と関連した優先接続ネットワークインターフェース情報を含むネットワーク選択方針を取得する情報取得段階；上記ネットワーク選択方針に含まれた上記優先接続ネットワークインターフェース情報によって上記優先接続ネットワークインターフェース情報に対応するネットワークインターフェースのうちの少なくとも一部に優先接続する優先接続段階；上記ネットワーク選択方針に従って伝送対象データから分割された部分データを選択する部分データ選択段階；及び、上記選択された部分データを、上記優先接続ネットワークインターフェース情報に対応するネットワークインターフェースのうちの少なくとも一部を通して伝送する部分データ伝送段階；を含む。
【００２１】
上記目的を達成するための本発明の第７観点による方針管理装置の動作方法は、送信装置が接続可能な少なくとも一つのネットワークインターフェースに対する装置性能を判断する性能判断段階；上記少なくとも一つのネットワークインターフェースに対する装置性能に基づいて優先接続ネットワークインターフェース情報を生成する情報生成段階；及び、上記優先接続ネットワークインターフェース情報を含むネットワーク選択方針を上記送信装置に提供し、上記優先接続ネットワークインターフェース情報によって上記優先接続ネットワークインターフェース情報に対応するネットワークインターフェースのうちの少なくとも一部への優先接続を誘導する方針提供段階；を含む。
【００２２】
よって、本発明の多重ネットワークに基づく同時データ伝送サービス方法によれば、多重ネットワーク環境でネットワーク選択方針に従って伝送対象データを分割して同時伝送するにあたり、端末装置が収集するネットワーク情報によって識別される多数のネットワークインターフェースの中から選別されたネットワークインターフェース情報を含むネットワーク選択方針を提供して端末装置の接続を誘導することにより、端末装置の現在位置で最適のネットワークインターフェースへの接続を効率的に制御して効率的で信頼度の高い多重ネットワーク基盤データ同時伝送サービスを具現でき、更にデータ分割伝送を通してデータ伝送速度を増大させることができる。
【図面の簡単な説明】
【００２３】
上記及び他の、本件発明の実施例による目的、機能及び効果は、以下の添付した図面を参照した詳細な説明により、更に明確になる。
【図１】本発明の実施例による多重ネットワークに基づく同時データ伝送サービスシステムの概略的な構成図である。
【図２】本発明の実施例による端末装置の概略的な構成図である。
【図３】本発明の実施例による方針管理装置の概略的な構成図である。
【図４】本発明の実施例による多重ネットワークに基づく同時データ伝送サービスシステムの動作方法を説明するための概略的な順序図である。
【図５】本発明の実施例による端末装置の動作を説明するための概略的なフローチャートである。
【図６】本発明の実施例による方針管理装置の動作を説明するための概略的なフローチャートである。
【図７】本発明の実施例による多重ネットワークに基づく同時データ伝送サービスシステムの概略的な構成図である。
【図８】本発明の実施例による方針管理装置の概略的な構成図である。
【図９】本発明の実施例による送信装置の概略的な構成図である。
【図１０】本発明の実施例による多重ネットワークに基づく同時データ伝送サービスシステムの動作方法を説明するための概略的な順序図である。
【図１１】本発明の実施例による方針管理装置の動作を説明するための概略的なフローチャートである。
【図１２】本発明の実施例による送信装置の動作を説明するための概略的なフローチャートである。
【発明を実施するための形態】
【００２４】
以下、添付図面を参照しながら本発明の望ましい実施例について説明する。
【００２５】
図１は、本発明の実施例による多重ネットワークに基づく同時データ伝送サービスシステムの概略的な構成図である。
【００２６】
図１に示されているように、本発明による多重ネットワークに基づく同時データ伝送サービスシステムは、データを２つ以上の部分データに分割し、上記２つ以上の部分データのうちの一方の部分に対応する第１部分データに特定仮想ネットワーク接続情報を含めて送信し、上記２つ以上の部分データのうちの他方の部分に対応する第２部分データに上記仮想ネットワーク接続情報を含めて送信する送信装置としての端末装置１００と、端末装置１００から上記第１部分データを受信する第１ネットワークインターフェース２００と、端末装置１００から上記第２部分データを受信する第２ネットワークインターフェース３００と、第１ネットワークインターフェース２００から上記第１部分データを受信し第２ネットワークインターフェース３００から上記第２部分データを受信し、受信された上記第１部分データ及び上記第２部分データに含まれた仮想ネットワーク接続情報を基に特定仮想ネットワーク接続情報による第１部分データ及び第２部分データを結合して上記データを生成する受信装置としての管理装置４００とを含む。また、本発明による多重ネットワークに基づく同時データ伝送サービスシステムは、管理装置４００から結合されたデータを受信する外部装置５００、及びネットワーク選択方針を提供する方針管理装置６００を含む構成を有する。
【００２７】
本発明による多重ネットワークに基づく同時データ伝送サービスは、端末装置１００と外部装置５００との間のデータ送受信に対してデータを分割し複数個の多重ネットワークを使用して送受信する構成を具現している。
【００２８】
従って、本発明では、一つのセッションに対して複数個の多重ネットワークを通した同時リンク伝送を具現するために、管理装置４００でセッション分割がなされている。このとき、端末装置１００は、複数個の多重ネットワーク各々と連結されるため、管理装置４００は複数個の多重ネットワークを通して形成されるそれぞれの同時リンクが単一の端末装置１００とのリンクであることを認知し、単一の端末装置１００を同時リンクと単一の主体として管理しなければならない。このために、端末装置１００に対応して同時伝送サービスのための別途の仮想ネットワーク接続情報（例：仮想ＩＰ）を割当及び管理することが必然的に要求されるのである。
【００２９】
外部装置５００は、管理装置４００を介した端末装置１００とのデータ送受信を行なうサーバー装置を指し、管理装置４００を介したデータ送受信を通して端末装置１００に、例えばポータルサービス、コンテンツ提供サービスなど多様なサービスを提供できる。
【００３０】
多重ネットワークには、例えば、ＷＣＤＭＡ、ＣＤＭＡ、ＷｉＢｒｏ、ＷＬＡＮ（ＷｉＦｉ）及びＬＴＥ（Long Term Evolution）を含む多様な接続ネットワークが該当し得るが、本実施例では説明の便宜のために、無線パケットサービスネットワーク（ＷＣＤＭＡ）を指す第１ネットワーク（以下、“３Ｇネットワーク”という）と、近距離無線ネットワーク（ＷｉＦｉ）を指す第２ネットワーク（以下、“ＷｉＦｉネットワーク”という）に限定して説明することにする。
【００３１】
これにより、第１ネットワークインターフェース２００は、３Ｇネットワークすなわち無線パケットサービスネットワークを運用するためのＧＧＳＮ（Gateway GPRS Support Node）装備を指すことになり、また、第２ネットワークインターフェース３００は、ＷｉＦｉネットワークすなわち近距離無線ネットワークを運用するためのアクセスポイント（ＡＰ）を指すことになる。
【００３２】
また、端末装置１００及び管理装置４００は、サービスフロー、すなわち同時データ伝送サービスを利用してデータを伝送する主体によって、つまりアップリンク過程及びダウンリンク過程によって、送信装置にもなり得、受信装置にもなり得る。本実施例では説明の便宜のために、多重ネットワーク環境に位置してデータ送受信を行なう端末装置１００を想定して説明し、端末装置１００に同時データ伝送サービスを提供する管理装置４００を想定して説明することにする。
【００３３】
端末装置１００は、方針管理装置６００から現在位置に対応するネットワーク選択方針を取得する。
【００３４】
すなわち、端末装置１００は、事象の発生例えば、設定周期ごとの該当位置で、３Ｇネットワークのセル情報つまり第１ネットワーククインターフェース２００の情報、及びＷｉＦｉネットワークを運用するための多数の第２ネットワークインターフェース３００の情報を含むネットワーク情報を収集し、収集されたネットワーク情報を含む方針要請を３Ｇネットワークを通して方針管理装置６００に伝達することにより、現在位置に対応するネットワーク選択方針を取得するようになる。
【００３５】
つまり、端末装置１００は、収集されたネットワーク情報を含む方針要請を、既に登録された地域別ネットワークインターフェースリストを管理する方針管理装置６００に伝達することにより、上記収集されたネットワーク情報によって識別される多数の第２ネットワークインターフェース３００のうち、上記、既に登録された地域別ネットワークインターフェース３００のリストと一致する第２ネットワークインターフェース３００の情報である上記接続対象ネットワークインターフェース情報を上記ネットワーク選択方針を通して方針管理装置６００から受信する。
【００３６】
このとき、端末装置１００は、端末装置１００の現在位置に対応する第２ネットワークインターフェース３００の別の状態情報例えば、接続された端末装置の数、トラフィック状態を基に選別される特定第２ネットワークインターフェース３００の情報、または既に登録された第２ネットワークインターフェース３００のリストのうちの一部分に該当する接続対象ネットワークインターフェース情報を方針管理装置６００から受信する。ここで、接続対象ネットワークインターフェース情報リストの場合、接続優先順位が設定された状態で受信されることができる。
【００３７】
これを通して、端末装置１００は、方針管理装置６００から受信される接続対象ネットワークインターフェース情報を基に、現在位置で接続可能な多数の第２ネットワークインターフェース３００のうち、保安性が保障されない未登録のネットワークインターフェースを除いた特定第２ネットワークインターフェース３００に接続できる。ここで、未登録のネットワークインターフェースはＷｉＦｉネットワーク上で任意に設けられたネットワークインターフェースを指すものであり、登録された事業者により運用される第２ネットワークインターフェース３００と同様に設定されて、接続された端末装置に対する使用者情報だけを取得する。
【００３８】
また、端末装置１００は、同時伝送サービスの利用のために、伝送対象データから分割された部分データを選択する。
【００３９】
すなわち、端末装置１００は、多重ネットワーク環境、つまり３Ｇネットワーク及びＷｉＦｉネットワークを利用したデータ同時伝送のために伝送対象データをネットワーク数に対応するように分割し、このような分割過程は方針管理装置６００から伝達されるネットワーク選択方針に従って行なわれることができる。
【００４０】
つまり、端末装置１００は、ネットワーク選択方針に含まれた第１ネットワークインターフェース２００へのデータ伝送のための第１伝送速度及び第２ネットワークインターフェース３００へのデータ伝送のための第２伝送速度を確認し、確認された伝送速度に基づいて分割された部分データのうち第１ネットワークインターフェース２００に伝送する第１部分データを選択すると共に、残りの部分データを第２ネットワークインターフェース３００に伝送する第２部分データとして選択する。
【００４１】
これを通して、端末装置１００は、ネットワーク選択方針、及びリアルタイムで変更されるネットワーク別トラフィック分配率に基づいた上述のデータ選択過程を行なうことによって、３Ｇネットワーク及びＷｉＦｉネットワークの相対的利用比率を、例えば３Ｇネットワーク１０％及びＷｉＦｉネットワーク９０％、３Ｇネットワーク９０％及びＷｉＦｉネットワーク１０％、３Ｇネットワーク５０％及びＷｉＦｉネットワーク５０％、などのように適用できる。
【００４２】
それから、端末装置１００は、ネットワーク選択方針に基づいて特定第２ネットワークインターフェース３００に接続して部分データを伝送する。
【００４３】
すなわち、端末装置１００は、ネットワーク選択方針に含まれた接続対象ネットワークインターフェース情報に基づいて現在位置で接続可能なＷｉＦｉネットワークすなわち近距離無線ネットワークを運用するための多数の第２ネットワークインターフェース３００のうち特定第２ネットワークインターフェース３００を選別し、選別された特定第２ネットワークインターフェース３００に接続して第２部分データを伝送する。
【００４４】
これにより、端末装置１００は、第１部分データを３Ｇネットワークに位置する第１ネットワークインターフェース２００に送信し、第１ネットワークインターフェース２００は第１部分データを受信装置としての管理装置４００に伝送する。そして、端末装置１００は、接続対象ネットワークインターフェース情報に基づいて選別された特定第２ネットワークインターフェース３００に第２部分データを送信し、第２ネットワークインターフェース３００は第２部分データを受信装置としての管理装置４００に伝送する。
【００４５】
管理装置４００は、第１ネットワークインターフェース２００から第１部分データを受信し第２ネットワークインターフェース３００から第２部分データを受信し、受信された第１部分データ及び第２部分データに含まれた仮想ネットワーク接続情報を基に第１部分データ及び第２部分データを結合してデータを生成することにより、端末装置１００が伝送しようとした伝送対象データに復元する。
【００４６】
すなわち、管理装置４００は、受信される色々な部分データに含まれた仮想ネットワーク接続情報を基に同一仮想ネットワーク接続情報を有する第１部分データ及び第２部分データを認知し、これらを該当部分データに含まれた順序情報に沿って組合せ及び結合することにより、本来の伝送対象データを生成できる。
【００４７】
そして、管理装置４００は、第１部分データ及び第２部分データのうちの少なくともどちらか一方の部分データを通して認知される最終宛先に該当する外部装置の接続情報を利用して、復元された伝送対象データを外部装置５００へ伝送する。
【００４８】
このように端末装置１００で分割された第１部分データ及び第２部分データは、多重ネットワークを通して管理装置４００を経由する過程で管理装置４００により結合されて本来の伝送対象データに復元され、復元された伝送対象データは一つのデータとして最終宛先である外部装置５００へ伝達される。
【００４９】
方針管理装置６００は、端末装置１００の方針要請に従って端末装置１００の現在位置に対応する多数の第２ネットワークインターフェース３００を識別する。
【００５０】
すなわち、方針管理装置６００は、収集されたネットワーク情報、つまり、現在位置に対応する３Ｇネットワークのセル情報つまり第１ネットワーククインターフェース２００の情報及びＷｉＦｉネットワークを運用するための多数の第２ネットワークインターフェース３００の情報を含む方針要請を端末装置１００から受信し、受信されたネットワーク情報から端末装置１００の現在位置に対応する多数の第２ネットワークインターフェース３００を識別する。
【００５１】
また、方針管理装置６００は、識別された第２ネットワークインターフェース３００の情報に基づいて接続対象ネットワークインターフェース情報を生成する。
【００５２】
すなわち、方針管理装置６００は、端末装置１００の現在位置に対応して識別された多数の第２ネットワークインターフェース３００のうち、未登録のネットワークインターフェースを除いた残りのネットワークインターフェース情報に該当する接続対象ネットワークインターフェース情報を生成する。
【００５３】
このために、方針管理装置６００は、既に登録された地域別第２ネットワークインターフェース３００のリストを管理するようになり、これに基づいて、端末装置１００の現在位置に対応して識別された多数の第２ネットワークインターフェース３００のうち上記既に登録された地域別第２ネットワークインターフェース３００のリストと一致する第２ネットワークインターフェース３００の情報である上記接続対象ネットワークインターフェース情報を生成する。
【００５４】
このとき、上記接続対象ネットワークインターフェース情報には、端末装置１００の現在位置に対応する第２ネットワークインターフェース３００の別の状態情報、例えば、接続された端末装置の数、トラフィック状態を基に選別された特定第２ネットワークインターフェース３００の情報が含まれるか、既に登録された第２ネットワークインターフェース３００のリストのうちの一部分に該当する一つ以上の第２ネットワークインターフェース３００の情報のリストが含まれることができる。ここで、接続対象ネットワークインターフェース情報に該当する第２ネットワークインターフェース３００の情報のリストの場合、接続優先順位が予め設定されることができる。
【００５５】
また、方針管理装置６００は、上記生成された接続対象ネットワークインターフェース情報を含むネットワーク選択方針を端末装置１００に提供することによって特定第２ネットワークインターフェース３００への接続を誘導する。
【００５６】
すなわち、方針管理装置６００は、上記生成された接続対象ネットワークインターフェース情報を含むネットワーク選択方針を端末装置１００に提供することにより、端末装置１００が、現在位置で接続可能なＷｉＦｉネットワークすなわち近距離無線ネットワークを運用するための多数の第２ネットワークインターフェース３００のうち、特定第２ネットワークインターフェース３００を選択して接続できるように誘導する。
【００５７】
一方、方針管理装置６００は、上記接続対象ネットワークインターフェース情報以外に、例えば、加入者選好度、加入者類型、加入料金制、サービス対象アプリケーションの類型などを含む多重ネットワーク上の多様なネットワーククパラメータ、及びネットワーク状態変動による、端末装置１００及び管理装置４００から受信されるネットワーク状態情報に基づいて、多重ネットワーク環境、例えば３Ｇネットワーク及びＷｉＦｉネットワークを利用したデータ同時伝送のために伝送対象データをネットワーク数に対応して分割できるようにネットワーク間相対的利用比率を含むネットワーク選択方針を決定して端末装置１００及び管理装置４００に提供することができる。
【００５８】
また、方針管理装置６００は、上記ネットワーク選択方針の提供以後、特定第２ネットワークインターフェース３００のトラフィック状態をモニタリングする。
【００５９】
すなわち、方針管理装置６００は、ネットワーク選択方針の提供を通した特定第２ネットワークインターフェース３００への接続を誘導した後、上記特定第２ネットワークインターフェース３００に対するトラフィックを監視して、接続誘導された端末装置１００に対応するトラフィックが感知されない場合、特定第２ネットワークインターフェース３００への接続を中止させるためのネットワーク選択方針を上記端末装置１００に提供することにより、端末装置１００が未登録のネットワークインターフェースと疑われる上記特定第２ネットワークインターフェース３００に対するトラフィックを遮断できるようにする。
【００６０】
以下、図２を参照しながら本発明の実施例による端末装置１００についてより具体的に説明する。
【００６１】
すなわち、端末装置１００は、現在位置に対応するネットワーク選択方針を取得する情報取得部１１０；伝送対象データから分割された部分データを選択する制御部１２０；及び、第２ネットワークインターフェース３００に接続して部分データを伝送する通信部１３０；を含む構成を有する。ここで、情報取得部１１０及び制御部１２０は、端末装置１００に搭載されたＯＳカーネルに搭載される形態を有し、端末装置１００に内蔵またはダウンロードされて搭載された特定アプリケーションの要請に従ってデータ同時伝送サービスのための一連の動作を行なう。また、通信部１３０は、３Ｇネットワークを利用して第１ネットワークインターフェース２００と連動し、ＷｉＦｉネットワークを利用して第２ネットワークインターフェース３００と連動するための通信モジュールを指す。
【００６２】
情報取得部１１０は、方針管理装置６００から現在位置に対応するネットワーク選択方針を取得する。
【００６３】
すなわち、情報取得部１１０は、事象の発生例えば、設定周期ごとの該当位置で３Ｇネットワークのセル情報つまり第１ネットワーククインターフェース２００の情報、及びＷｉＦｉネットワークを運用するための多数の第２ネットワークインターフェース３００の情報を含むネットワーク情報を収集し、収集されたネットワーク情報を含む方針要請を３Ｇネットワークを通して方針管理装置６００に伝達することにより、現在位置に対応するネットワーク選択方針を取得するようになる。
【００６４】
つまり、情報取得部１１０は、収集されたネットワーク情報を含む方針要請を、既に登録された地域別ネットワークインターフェースリストを管理する方針管理装置６００に伝達することにより、上記収集されたネットワーク情報によって識別される多数の第２ネットワークインターフェース３００のうち、上記既に登録された地域別ネットワークインターフェース３００のリストと一致する第２ネットワークインターフェース３００の情報である上記接続対象ネットワークインターフェース情報を、方針管理装置６００から上記ネットワーク選択方針を通して受信するようになる。
【００６５】
このとき、情報取得部１１０は、端末装置１００の現在位置に対応する第２ネットワークインターフェース３００の別の状態情報、例えば、接続された端末装置の数、トラフィック状態を基に選別される特定第２ネットワークインターフェース３００の情報、または既に登録された第２ネットワークインターフェース３００のリストのうちの一部分に該当する接続対象ネットワークインターフェース情報を方針管理装置６００から受信するようになる。ここで、接続対象ネットワークインターフェース情報リストの場合、接続優先順位が予め設定された状態で受信されることができる。
【００６６】
これを通して、端末装置１００は、方針管理装置６００から受信される接続対象ネットワークインターフェース情報を基に、現在位置で接続可能な多数の第２ネットワークインターフェース３００のうち、保安性が保障されない未登録のネットワークインターフェースを除いた特定第２ネットワークインターフェース３００に接続できる。ここで、未登録のネットワークインターフェースはＷｉＦｉネットワーク上で任意に設けられたネットワークインターフェースを指すものであり、登録された事業者により運用される第２ネットワークインターフェース３００と同様に設定されて、接続された端末装置に対する使用者情報だけを取得する。
【００６７】
また、制御部１２０は、同時伝送サービスを利用するために伝送対象データから分割された部分データを選択する。
【００６８】
すなわち、制御部１２０は、多重ネットワーク環境、すなわち３Ｇネットワーク及びＷｉＦｉネットワークを利用したデータ同時伝送のために伝送対象データをネットワーク数に対応するように分割し、このような分割過程は方針管理装置６００から伝達されるネットワーク選択方針に従って行なわれることができる。
【００６９】
制御部１２０は、送信データを２またはそれ以上の部分データに分割するように構成されたデータ分割部分と、ネットワーク選択方針に従って、この部分データを選択する制御部分とを含むことが可能である。
【００７０】
つまり、制御部１２０は、ネットワーク選択方針に含まれた第１ネットワークインターフェース２００へのデータ伝送のための第１伝送速度及び第２ネットワークインターフェース３００へのデータ伝送のための第２伝送速度を確認し、確認された伝送速度に基づいて分割された部分データのうち第１ネットワークインターフェース２００に伝送する第１部分データを選択すると共に、残りの部分データを第２ネットワークインターフェース３００に伝送する第２部分データとして選択する。
【００７１】
これを通して、制御部１２０は、ネットワーク選択方針、及びリアルタイムで変更されるネットワーク別トラフィック分配率に基づいた上述のデータ選択過程を行なうことにより、３Ｇネットワーク及びＷｉＦｉネットワークの相対的利用比率を、例えば、３Ｇネットワーク１０％及びＷｉＦｉネットワーク９０％、３Ｇネットワーク９０％及びＷｉＦｉネットワーク１０％、３Ｇネットワーク５０％及びＷｉＦｉネットワーク５０％、などのように適用できる。
【００７２】
通信部１３０は、ネットワーク選択方針に基づいて特定第２ネットワークインターフェース２００に接続して部分データを伝送する。
【００７３】
すなわち、通信部１３０は、ネットワーク選択方針に含まれた接続対象ネットワークインターフェース情報に基づいて現在位置で接続可能なＷｉＦｉネットワークすなわち近距離無線ネットワークを運用するための多数の第２ネットワークインターフェース３００のうち特定第２ネットワークインターフェース３００を選別し、選別された特定第２ネットワークインターフェース３００に接続して第２部分データを伝送する。
【００７４】
これにより、通信部１３０は、第１部分データを３Ｇネットワークに位置する第１ネットワークインターフェース２００へ送信し、第１ネットワークインターフェース２００は第１部分データを受信装置としての管理装置４００に伝送する。そして、端末装置１００は、接続対象ネットワークインターフェース情報に基づいて選別された特定第２ネットワークインターフェース３００に第２部分データを送信し、第２ネットワークインターフェース３００は第２部分データを受信装置としての管理装置４００に伝送する。
【００７５】
以下、図３を参照しながら本発明の実施例による方針管理装置６００のより具体的な構成を説明する。
【００７６】
すなわち、方針管理装置６００は、接続対象ネットワークインターフェース情報を生成する情報生成部６１０、及び上記生成された接続対象ネットワークインターフェース情報を含むネットワーク選択方針を端末装置１００に提供する方針提供部６２０を含む構成を有する。
【００７７】
情報生成部６１０は、端末装置１００の方針要請に従って端末装置１００の現在位置に対応する多数の第２ネットワークインターフェース３００を識別する。
【００７８】
すなわち、情報生成部６１０は、収集されたネットワーク情報、つまり、現在位置に対応する３Ｇネットワークのセル情報つまり第１ネットワーククインターフェース２００の情報及びＷｉＦｉネットワークを運用するための多数の第２ネットワークインターフェース３００の情報を含む方針要請を端末装置１００から受信し、受信されたネットワーク情報から端末装置１００の現在位置に対応する多数の第２ネットワークインターフェース３００を識別する。
【００７９】
また、情報生成部６１０は、識別された第２ネットワークインターフェース３００の情報に基づいて接続対象ネットワークインターフェース情報を生成する。
【００８０】
すなわち、情報生成部６１０は、端末装置１００の現在位置に対応して識別された多数の第２ネットワークインターフェース３００のうち、未登録のネットワークインターフェースを除いた残りのネットワークインターフェース情報に該当する接続対象ネットワークインターフェース情報を生成する。
【００８１】
このために、情報生成部６１０は、既に登録された地域別第２ネットワークインターフェース３００のリストを管理するようになり、これに基づいて、端末装置１００の現在位置に対応して識別された多数の第２ネットワークインターフェース３００のうち上記既に登録された地域別第２ネットワークインターフェース３００のリストと一致する第２ネットワークインターフェース３００の情報である上記接続対象ネットワークインターフェース情報を生成する。
【００８２】
このとき、上記接続対象ネットワークインターフェース情報には、端末装置１００の現在位置に対応する第２ネットワークインターフェース３００の別の状態情報、例えば、接続された端末装置の数、トラフィック状態を基に選別された特定第２ネットワークインターフェース３００の情報が含まれるか、既に登録された第２ネットワークインターフェース３００のリストのうちの一部分に該当する一つ以上の第２ネットワークインターフェース３００の情報のリストが含まれることができる。ここで、接続対象ネットワークインターフェース情報に該当する第２ネットワークインターフェース３００の情報のリストの場合、接続優先順位が予め設定されることができる。
【００８３】
方針提供部６２０は、上記生成された接続対象ネットワークインターフェース情報を含むネットワーク選択方針を端末装置１００に提供することによって特定第２ネットワークインターフェース３００への接続を誘導する。
【００８４】
すなわち、方針提供部６２０は、上記生成された接続対象ネットワークインターフェース情報を含むネットワーク選択方針を端末装置１００に提供することにより、端末装置１００が、現在位置で接続可能なＷｉＦｉネットワークすなわち近距離無線ネットワークを運用するための多数の第２ネットワークインターフェース３００のうち、特定第２ネットワークインターフェース３００を選択して接続できるように誘導する。
【００８５】
一方、方針提供部６２０は、上記接続対象ネットワークインターフェース情報以外に、例えば、加入者選好度、加入者類型、加入料金制、サービス対象アプリケーションの類型などを含む多重ネットワーク上の多様なネットワーククパラメータ、及びネットワーク状態変動による、端末装置１００及び管理装置４００から受信されるネットワーク状態情報に基づいて、多重ネットワーク環境、すなわち３Ｇネットワーク及びＷｉＦｉネットワークを利用したデータ同時伝送のために伝送対象データをネットワーク数に対応して分割できるようにネットワーク間相対的利用比率を含むネットワーク選択方針を決定して端末装置１００及び管理装置４００に提供することができる。
【００８６】
また、方針提供部６２０は、上記ネットワーク選択方針の提供以後、特定第２ネットワークインターフェース３００のトラフィック状態をモニタリングする。
【００８７】
すなわち、方針提供部６２０は、ネットワーク選択方針の提供を通した特定第２ネットワークインターフェース３００への接続を誘導した後、上記特定第２ネットワークインターフェース３００に対するトラフィックを監視して、接続誘導された端末装置１００に対応するトラフィックが感知されない場合、特定第２ネットワークインターフェース３００への接続を中止させるためのネットワーク選択方針を上記端末装置１００に提供することにより、端末装置１００が未登録のネットワークインターフェースと疑われる上記特定第２ネットワークインターフェース３００に対するトラフィックを遮断できるようにする。
【００８８】
以上考察したように、本発明による多重ネットワークに基づく同時データ伝送サービスシステムによれば、多重ネットワーク（Heterogeneous network）環境でネットワーク選択方針に従って伝送対象データを分割して同時伝送するにあたり、端末装置が収集するネットワーク情報によって識別される多数のネットワークインターフェースのうち未登録のネットワークインターフェースを区分して接続可能なネットワークインターフェースを選別し、選別されたネットワークインターフェース情報を含むネットワーク選択方針を提供して端末装置の接続を誘導することにより、端末装置の現在位置で最適のネットワークインターフェースへの接続を効率的に制御して効率的で信頼度の高い多重ネットワークに基づく同時データ伝送サービスを具現でき、更にデータ分割伝送を通してデータ伝送速度を増大させることができる。
【００８９】
以下では、図４ないし図６を参照しながら本発明の実施例による多重ネットワークに基づく同時データ伝送サービス方法を説明する。ここで、上述の図１乃至図３に示された構成は、説明の便宜のために該当参照番号を言及して説明することにする。
【００９０】
先に、図４を参照して本発明の実施例による多重ネットワークに基づく同時データ伝送サービスシステムの動作方法を説明する。
【００９１】
まず、端末装置１００が現在位置に対応するネットワーク選択方針を要請する（Ｓ１１０〜Ｓ１２０）。
【００９２】
望ましくは、端末装置１００は、事象の発生例えば、設定周期ごとの該当位置で３Ｇネットワークのセル情報つまり第１ネットワーククインターフェース２００の情報、及びＷｉＦｉネットワークを運用するための多数の第２ネットワークインターフェース３００の情報を含むネットワーク情報を収集し、収集されたネットワーク情報を含む方針要請を、３Ｇネットワークを通して方針管理装置６００に伝達することにより、現在位置に対応するネットワーク選択方針を要請する。
【００９３】
それから、方針管理装置６００が端末装置１００の方針要請に従って端末装置１００の現在位置に対応する多数の第２ネットワークインターフェース３００を識別する（Ｓ１３０）。
【００９４】
望ましくは、方針管理装置６００は、収集されたネットワーク情報、つまり、現在位置に対応する３Ｇネットワークのセル情報つまり第１ネットワーククインターフェース２００の情報及びＷｉＦｉネットワークを運用するための多数の第２ネットワークインターフェース３００の情報を含む方針要請を端末装置１００から受信し、受信されたネットワーク情報から端末装置１００の現在位置に対応する多数の第２ネットワークインターフェース３００を識別する。
【００９５】
次に、方針管理装置６００は、識別された第２ネットワークインターフェース３００の情報に基づいて接続対象ネットワークインターフェース情報を生成する（Ｓ１４０〜Ｓ１５０）。
【００９６】
望ましくは、方針管理装置６００は、端末装置１００の現在位置に対応して識別された多数の第２ネットワークインターフェース３００のうち、未登録のネットワークインターフェースを除いた残りのネットワークインターフェース情報に該当する接続対象ネットワークインターフェース情報を生成する。
【００９７】
このために、方針管理装置６００は、既に登録された地域別第２ネットワークインターフェース３００のリストを管理するようになり、これに基づいて、端末装置１００の現在位置に対応して識別された多数の第２ネットワークインターフェース３００のうち上記既に登録された地域別第２ネットワークインターフェース３００のリストと一致する第２ネットワークインターフェース３００の情報である上記接続対象ネットワークインターフェース情報を生成する。
【００９８】
このとき、上記接続対象ネットワークインターフェース情報には、端末装置１００の現在位置に対応する第２ネットワークインターフェース３００の別の状態情報、例えば、接続された端末装置の数、トラフィック状態を基に選別された特定第２ネットワークインターフェース３００の情報が含まれるか、既に登録された第２ネットワークインターフェース３００のリストのうちの一部分に該当する一つ以上の第２ネットワークインターフェース３００の情報のリストが含まれることができる。ここで、接続対象ネットワークインターフェース情報に該当する第２ネットワークインターフェース３００の情報のリストの場合、接続優先順位が予め設定されることができる。
【００９９】
次に、方針管理装置６００は、上記生成された接続対象ネットワークインターフェース情報を含むネットワーク選択方針を端末装置１００に提供することにより、特定第２ネットワークインターフェース３００への接続を誘導する（Ｓ１６０〜Ｓ１７０）。
【０１００】
望ましくは、方針管理装置６００は、上記生成された接続対象ネットワークインターフェース情報を含むネットワーク選択方針を端末装置１００に提供することにより、端末装置１００が、現在位置で接続可能なＷｉＦｉネットワーク、すなわち近距離無線ネットワークを運用するための多数の第２ネットワークインターフェース３００のうち、特定第２ネットワークインターフェース３００を選択して接続できるように誘導する。
【０１０１】
更に、端末装置１００は、同時伝送サービスを利用するために伝送対象データから分割された部分データを選択する（Ｓ１８０）。
【０１０２】
望ましくは、端末装置１００は、多重ネットワーク環境、すなわち３Ｇネットワーク及びＷｉＦｉネットワークを利用したデータ同時伝送のために伝送対象データをネットワーク数に対応するように分割し、このような分割過程は方針管理装置６００から伝達されるネットワーク選択方針に従って行なわれることができる。
【０１０３】
つまり、端末装置１００は、ネットワーク選択方針に含まれた第１ネットワークインターフェース２００へのデータ伝送のための第１伝送速度及び第２ネットワークインターフェース３００へのデータ伝送のための第２伝送速度を確認し、確認された伝送速度に基づいて分割された部分データのうち第１ネットワークインターフェース２００に伝送する第１部分データを選択すると共に、残りの部分データを第２ネットワークインターフェース３００に伝送する第２部分データとして選択するようになる。
【０１０４】
これを通して、端末装置１００は、ネットワーク選択方針、及びリアルタイムで変更されるネットワーク別トラフィック分配率に基づいた上述のデータ選択過程を行なうことによって、３Ｇネットワーク及びＷｉＦｉネットワークの相対的利用比率を、例えば、３Ｇネットワーク１０％及びＷｉＦｉネットワーク９０％、３Ｇネットワーク９０％及びＷｉＦｉネットワーク１０％、３Ｇネットワーク５０％及びＷｉＦｉネットワーク５０％、などのように適用できる。
【０１０５】
そして、端末装置１００がネットワーク選択方針に基づいて特定第２ネットワークインターフェース３００に接続して部分データを伝送する（Ｓ１９０〜Ｓ２００）。
【０１０６】
望ましくは、端末装置１００は、ネットワーク選択方針に含まれた接続対象ネットワークインターフェース情報に基づいて、現在位置で接続可能なＷｉＦｉネットワーク、すなわち近距離無線ネットワークを運用するための多数の第２ネットワークインターフェース３００のうち特定第２ネットワークインターフェース３００を選別し、選別された特定第２ネットワークインターフェース３００に接続して第２部分データを伝送する。
【０１０７】
これにより、端末装置１００は、第１部分データを３Ｇネットワークに位置する第１ネットワークインターフェース２００へ送信し、第１ネットワークインターフェース２００は第１部分データを受信装置としての管理装置４００に伝送する。そして、端末装置１００は、接続対象ネットワークインターフェース情報に基づいて選別された特定第２ネットワークインターフェース３００に第２部分データを送信し、第２ネットワークインターフェース３００は第２部分データを受信装置としての管理装置４００に伝送する。
【０１０８】
以後、管理装置４００が第１ネットワークインターフェース２００から第１部分データを受信し第２ネットワークインターフェース３００から第２部分データを受信し、受信された第１部分データ及び第２部分データに含まれた仮想ネットワーク接続情報を基に第１部分データ及び第２部分データを結合してデータを生成することにより、端末装置１００が伝送しようとした伝送対象データに復元する（Ｓ２１０〜Ｓ２２０）。
【０１０９】
すなわち、管理装置４００は、受信される色々な部分データに含まれた仮想ネットワーク接続情報を基に同一の仮想ネットワーク接続情報を有する第１部分データ及び第２部分データを認知し、これらを該当部分データに含まれた順序情報に沿って組合せ及び結合することにより、本来の伝送対象データを生成できる。
【０１１０】
そして管理装置４００は、第１部分データ及び第２部分データのうちの少なくともどちらか一方の部分データを通して認知される最終宛先に該当する外部装置の接続情報を利用して、復元された伝送対象データを外部装置５００へ伝送する。
【０１１１】
このように端末装置１００で分割された第１部分データ及び第２部分データは、多重ネットワークを通して管理装置４００を経由する過程で管理装置４００により結合されて本来の伝送対象データに復元され、復元された伝送対象データは一つのデータとして最終宛先である外部装置５００へ伝達される。
【０１１２】
以下では、図５を参照しながら本発明の実施例による端末装置１００の動作方法を説明する。
【０１１３】
先ず、方針管理装置６００から現在位置に対応するネットワーク選択方針を取得する（Ｓ３１０〜Ｓ３３０）。
【０１１４】
望ましくは、情報取得部１１０は、事象の発生例えば、設定周期ごとの該当位置で、３Ｇネットワークのセル情報つまり第１ネットワーククインターフェース２００の情報、及びＷｉＦｉネットワークを運用するための多数の第２ネットワークインターフェース３００の情報を含むネットワーク情報を収集し、収集されたネットワーク情報を含む方針要請を、３Ｇネットワークを通して方針管理装置６００に伝達することにより、現在位置に対応するネットワーク選択方針を取得する。
【０１１５】
つまり、情報取得部１１０は、収集されたネットワーク情報を含む方針要請を、既に登録された地域別ネットワークインターフェースリストを管理する方針管理装置６００に伝達することにより、方針管理装置６００から、上記収集されたネットワーク情報によって識別される多数の第２ネットワークインターフェース３００のうち、上記既に登録された地域別ネットワークインターフェース３００のリストと一致する第２ネットワークインターフェース３００の情報である上記接続対象ネットワークインターフェース情報を、上記ネットワーク選択方針を通して受信する。
【０１１６】
このとき、情報取得部１１０は、方針管理装置６００から、端末装置１００の現在位置に対応する第２ネットワークインターフェース３００の別の状態情報、例えば、接続された端末装置の数、トラフィック状態を基に選別される特定第２ネットワークインターフェース３００の情報、または既に登録された第２ネットワークインターフェース３００のリストのうちの一部分に該当する接続対象ネットワークインターフェース情報を受信する。ここで、接続対象ネットワークインターフェース情報リストの場合、接続優先順位が予め設定された状態で受信されることができる。
【０１１７】
これを通して、端末装置１００は、方針管理装置６００から受信される接続対象ネットワークインターフェース情報を基に、現在位置で接続可能な多数の第２ネットワークインターフェース３００のうち、保安性が保障されない未登録のネットワークインターフェースを除いた特定第２ネットワークインターフェース３００に接続できる。ここで、未登録のネットワークインターフェースは、ＷｉＦｉネットワーク上で任意に設けられたネットワークインターフェースを指すものであり、登録された事業者により運用される第２ネットワークインターフェース３００と同様に設定されて、接続された端末装置に対する使用者情報だけを取得する。
【０１１８】
そして、同時伝送サービスを利用するために伝送対象データから分割された部分データを選択する（Ｓ３４０）。
【０１１９】
望ましくは、制御部１２０は、多重ネットワーク環境、すなわち３Ｇネットワーク及びＷｉＦｉネットワークを利用したデータ同時伝送のために伝送対象データをネットワーク数に対応するように分割し、このような分割過程は方針管理装置６００から伝達されるネットワーク選択方針に従って行なわれることができる。
【０１２０】
つまり、制御部１２０は、ネットワーク選択方針に含まれた第１ネットワークインターフェース２００へのデータ伝送のための第１伝送速度及び第２ネットワークインターフェース３００へのデータ伝送のための第２伝送速度を確認し、確認された伝送速度に基づいて分割された部分データのうち第１ネットワークインターフェース２００に伝送する第１部分データを選択すると共に、残りの部分データを第２ネットワークインターフェース３００に伝送する第２部分データとして選択する。
【０１２１】
これを通して、制御部１２０は、ネットワーク選択方針、及びリアルタイムで変更されるネットワーク別トラフィック分配率に基づいた上述のデータ選択過程を行なうことによって、３Ｇネットワーク及びＷｉＦｉネットワークの相対的利用比率を、例えば、３Ｇネットワーク１０％及びＷｉＦｉネットワーク９０％、３Ｇネットワーク９０％及びＷｉＦｉネットワーク１０％、３Ｇネットワーク５０％及びＷｉＦｉネットワーク５０％、などのように適用できる。
【０１２２】
以後、ネットワーク選択方針に基づいて特定第２ネットワークインターフェース２００に接続して部分データを伝送する（Ｓ３５０〜Ｓ３６０）。
【０１２３】
望ましくは、通信部１３０は、ネットワーク選択方針に含まれた接続対象ネットワークインターフェース情報に基づいて、現在位置で接続可能なＷｉＦｉネットワーク、すなわち近距離無線ネットワークを運用するための多数の第２ネットワークインターフェース３００のうち特定第２ネットワークインターフェース３００を選別し、選別された特定第２ネットワークインターフェース３００に接続して第２部分データを伝送する。
【０１２４】
これにより、通信部１３０は、第１部分データを３Ｇネットワークに位置する第１ネットワークインターフェース２００へ送信し、第１ネットワークインターフェース２００は第１部分データを受信装置としての管理装置４００に伝送する。そして、端末装置１００は、接続対象ネットワークインターフェース情報に基づいて選別された特定第２ネットワークインターフェース３００に第２部分データを送信し、第２ネットワークインターフェース３００は第２部分データを受信装置としての管理装置４００に伝送する。
【０１２５】
以下、図６を参照しながら本発明の実施例による方針管理装置６００の動作方法を説明する。
【０１２６】
先ず、端末装置１００の方針要請に従って端末装置１００の現在位置に対応する多数の第２ネットワークインターフェース３００を識別する（Ｓ４１０〜Ｓ４２０）。
【０１２７】
望ましくは、情報生成部６１０は、収集されたネットワーク情報、つまり、現在位置に対応する３Ｇネットワークのセル情報つまり第１ネットワーククインターフェース２００の情報及びＷｉＦｉネットワークを運用するための多数の第２ネットワークインターフェース３００の情報を含む方針要請を端末装置１００から受信し、受信されたネットワーク情報から端末装置１００の現在位置に対応する多数の第２ネットワークインターフェース３００を識別する。
【０１２８】
それから、識別された第２ネットワークインターフェース３００の情報に基づいて接続対象ネットワークインターフェース情報を生成する（Ｓ４３０〜Ｓ４４０）。
【０１２９】
望ましくは、情報生成部６１０は、端末装置１００の現在位置に対応して識別された多数の第２ネットワークインターフェース３００のうち、未登録のネットワークインターフェースを除いた残りのネットワークインターフェース情報に該当する接続対象ネットワークインターフェース情報を生成する。
【０１３０】
このために、情報生成部６１０は、既に登録された地域別第２ネットワークインターフェース３００のリストを管理するようになり、これに基づいて、端末装置１００の現在位置に対応して識別された多数の第２ネットワークインターフェース３００のうち上記既に登録された地域別第２ネットワークインターフェース３００のリストと一致する第２ネットワークインターフェース３００の情報である上記接続対象ネットワークインターフェース情報を生成する。
【０１３１】
このとき、上記接続対象ネットワークインターフェース情報の場合、端末装置１００の現在位置に対応する第２ネットワークインターフェース３００の別の状態情報、例えば、接続された端末装置の数、トラフィック状態を基に選別された特定第２ネットワークインターフェース３００の情報が含まれるか、既に登録された第２ネットワークインターフェース３００のリストのうちの一部分に該当する一つ以上の第２ネットワークインターフェース３００の情報のリストが含まれることができる。ここで、接続対象ネットワークインターフェース情報に該当する第２ネットワークインターフェース３００の情報のリストの場合、接続優先順位が予め設定されることができる。
【０１３２】
以後、上記生成された接続対象ネットワークインターフェース情報を含むネットワーク選択方針を端末装置１００に提供することによって特定第２ネットワークインターフェース３００への接続を誘導する（Ｓ４５０〜Ｓ４６０）。
【０１３３】
望ましくは、方針提供部６２０は、上記生成された接続対象ネットワークインターフェース情報を含むネットワーク選択方針を端末装置１００に提供することにより、端末装置１００が、現在位置で接続可能なＷｉＦｉネットワーク、すなわち近距離無線ネットワークを運用するための多数の第２ネットワークインターフェース３００のうち、特定第２ネットワークインターフェース３００を選択して接続できるように誘導する。
【０１３４】
一方、上記ネットワーク選択方針の提供以後、特定第２ネットワークインターフェース３００のトラフィック状態をモニタリングする（Ｓ４７０〜Ｓ４９０）。
【０１３５】
望ましくは、方針提供部６２０は、ネットワーク選択方針の提供を通した特定第２ネットワークインターフェース３００への接続を誘導した後、上記特定第２ネットワークインターフェース３００に対するトラフィックを監視して、接続誘導された端末装置１００に対応するトラフィックが感知されない場合、特定第２ネットワークインターフェース３００への接続を中止させるためのネットワーク選択方針を上記端末装置１００に提供することにより、端末装置１００が未登録のネットワークインターフェースと疑われる上記特定第２ネットワークインターフェース３００に対するトラフィックを遮断できるようにする。
【０１３６】
以上考察したように、本発明による多重ネットワークに基づく同時データ伝送サービス方法によれば、多重ネットワーク（Heterogeneous network）環境でネットワーク選択方針に従って伝送対象データを分割して同時伝送するにあたり、端末装置が収集するネットワーク情報によって識別される多数のネットワークインターフェースのうち未登録のネットワークインターフェースを区分して接続可能なネットワークインターフェースを選別し、選別されたネットワークインターフェース情報を含むネットワーク選択方針を提供して端末装置の接続を誘導することにより、端末装置の現在位置で最適のネットワークインターフェースへの接続を効率的に制御して効率的で信頼度の高い多重ネットワークに基づく同時データ伝送サービスを具現でき、更にはデータ分割伝送を通してデータ伝送速度を増大させることができる。
【０１３７】
図７は、本発明の望ましい実施例による多重ネットワークに基づく同時データ伝送サービスシステムを示す図面である。
【０１３８】
図７に示されているように、本発明による多重ネットワークに基づく同時データ伝送サービスシステムは、伝送対象データを２つ以上の部分データに分割し２つ以上のネットワークを通して伝送する同時伝送サービスを支援する管理装置４００と、管理装置４００に接続して同時伝送サービスを利用する少なくとも一つの送信装置１００とを含む。
【０１３９】
ここで、２つ以上のネットワークすなわち多重ネットワークは、ＷＣＤＭＡ、ＣＤＭＡ、ＷｉＢｒｏ、ＷＬＡＮ（ＷｉＦｉ）及びＬＴＥ（Long Term Evolution）などを含むことができる。
【０１４０】
そして本発明では、説明の便宜のために、２つ以上のネットワークのうち、無線パケットサービスネットワーク（ＷＣＤＭＡ）を指す第１ネットワーク（以下、“３Ｇネットワーク”という）と、近距離無線ネットワーク（ＷｉＦｉ）を指す第２ネットワーク（以下、“ＷｉＦｉネットワーク”という）に限定して実施例を説明することにする。これにより、第１ネットワークインターフェース２００は、３Ｇネットワーク、すなわち無線パケットサービスネットワークを運用するためのＧＧＳＮ（Gateway GPRS Support Node）装備を指し、また、第２ネットワークインターフェース３００は、ＷｉＦｉネットワーク、すなわち近距離無線ネットワークを運用するためのアクセスポイント（ＡＰ）を指す。
【０１４１】
また、本発明による多重ネットワークに基づく同時データ伝送サービスシステムは、管理装置４００から同時伝送サービスによって結合／復元されたデータを受信する外部装置５００、及びネットワーク選択方針を提供する方針管理装置６００を含む構成を有する。
【０１４２】
方針管理装置６００は、例えば、加入者選好度、加入者類型、加入料金制、サービス対象アプリケーションの類型などを含む多重ネットワーク上の多様なネットワーククパラメータ、及びネットワーク状態変動による、送信装置１００及び管理装置４００から受信されるネットワーク状態情報に基づいて、ネットワーク選択方針を決定して送信装置１００及び管理装置４００に提供する。
【０１４３】
また、本発明による多重ネットワークに基づく同時データ伝送サービスは、送信装置１００と外部装置５００との間のデータ送受信に対して、一つのデータを分割し、分割された部分データを複数個の多重ネットワーク（例：３Ｇ及びＷｉＦｉ）を使用して送信し、受信された部分データを結合して本来のデータに復元する同時伝送サービスを具現している。
【０１４４】
このような同時伝送サービスの利用のために送信装置１００は、同時伝送サービスにおいて利用しようとする２つ以上のネットワーク（例：３Ｇ及びＷｉＦｉ）に接続しなければならない。
【０１４５】
ここで、ＷｉＦｉネットワークの場合、送信装置１００は、最適のＡＰに接続するために、周辺ネットワークインターフェース（ＡＰ）とパケットを送受信した後、これにより測定された結果値から周辺ネットワークインターフェース（ＡＰ）の性能を推定して推定結果による最適のＡＰに接続することにより、ＷｉＦｉネットワークに接続するのが一般的である。
【０１４６】
このように送信装置１００が主体的に周辺ネットワークインターフェース（ＡＰ）の性能を推定する場合、送信装置１００がＷｉＦｉネットワークに接続した後になされるため、送信装置１００がＷｉＦｉモデムをオンにしてＷｉＦｉネットワークに直接接続するなど、時間とパワーが消費される。
【０１４７】
ここで、本発明で方針管理装置６００は、送信装置１００に対応して送信装置１００の位置で接続可能な少なくとも一つのネットワークインターフェースに対する装置性能を判断し、上記判断された少なくとも一つのネットワークインターフェースに対する装置性能に基づいて優先接続ネットワークインターフェース情報を生成し、上記生成された優先接続ネットワークインターフェース情報を含むネットワーク選択方針を接続されたネットワークを通して送信装置１００に提供して、特定ネットワークインターフェースへの優先接続を誘導する構成を有する。
【０１４８】
これに先立って、本発明によれば、送信装置１００は、同時伝送サービスにおいて利用しようとする２つ以上のネットワークのうち認証された第１ネットワークすなわち３Ｇネットワークに優先接続することが望ましい。
【０１４９】
方針管理装置６００は、３Ｇネットワークに接続された送信装置１００に対応して送信装置１００の位置で接続可能な少なくとも一つのネットワークインターフェースに対する装置性能を判断する。
【０１５０】
すなわち、方針管理装置６００は、送信装置１００に対応して送信装置１００の位置で接続可能な少なくとも一つのネットワークインターフェースを認知する。
【０１５１】
例えば、方針管理装置６００は、送信装置１００に対応して認証された３Ｇネットワークを基に認知される送信装置位置情報を位置管理サーバー８００から取得できる。ここで、位置管理サーバー８００は、３Ｇネットワークによる基地局装置、ＧＧＳＮなどの装置位置及び緯度／経度などの情報を利用して送信装置の位置情報を提供するサーバーである。もちろん、方針管理装置６００は、送信装置１００に対応する位置情報をＧＰＳ基盤で取得するなど多様な方式を通して取得することもできる。
【０１５２】
そして、方針管理装置６００は、ＷｉＦｉ ＡＰに関する多様な情報を管理するＷｉＦｉ管理サーバー７００との連動を通して、送信装置１００の位置情報に対応する地域に位置する少なくとも一つのネットワークインターフェース（ＷｉＦｉ ＡＰ）、すなわち送信装置１００が接続できる位置にある少なくとも一つのネットワークインターフェース３００ａ，３００ｂ，３００ｃ，３００ｄを認知できる。
【０１５３】
そして、方針管理装置６００は、ＷｉＦｉ管理サーバー７００との連動を通して、接続可能な少なくとも一つのネットワークインターフェース３００ａ，３００ｂ，３００ｃ，３００ｄに対する装置性能を判断できる。
【０１５４】
すなわち、方針管理装置６００は、送信装置１００に対応して少なくとも一つのネットワークインターフェース３００ａ，３００ｂ，３００ｃ，３００ｄに対する接続履歴情報及び動作状態情報のうちの少なくともどちらか一方をＷｉＦｉ管理サーバー７００から取得し、取得した接続履歴情報及び動作状態情報のうちの少なくともどちらか一方を分析して少なくとも一つのネットワークインターフェース３００ａ，３００ｂ，３００ｃ，３００ｄに対する装置性能を判断できる。
【０１５５】
このように、方針管理装置６００は、網情報を活用して、特定送信装置１００に対応して少なくとも一つのネットワークインターフェース（ＷｉＦｉ ＡＰ）に対する装置性能を判断する。
【０１５６】
そして、方針管理装置６００は、判断された少なくとも一つのネットワークインターフェース３００ａ，３００ｂ，３００ｃ，３００ｄに対する装置性能に基づいて、送信装置１００に対応して優先接続ネットワークインターフェース情報を生成する。
【０１５７】
例えば、方針管理装置６００は、判断された少なくとも一つのネットワークインターフェース３００ａ，３００ｂ，３００ｃ，３００ｄに対する装置性能に基づいて、優先接続を誘導するネットワークインターフェース３００ａ，３００ｂを表す優先接続リスト、及び接続試行を制限するネットワークインターフェース３００ｃ，３００ｄを表す接続制限リストのうちの少なくともどちらか一方を含む優先接続ネットワークインターフェース情報を生成できる。
【０１５８】
そして、方針管理装置６００は、生成された優先接続ネットワークインターフェース情報を含むネットワーク選択方針を、認証されたネットワークすなわち３Ｇネットワークを通して送信装置１００に提供することができる。
【０１５９】
もちろん、方針管理装置６００は、生成された優先接続ネットワークインターフェース情報をネットワーク選択方針とは別途に、認証されたネットワークすなわち３Ｇネットワークを通して送信装置１００に提供することもできる。
【０１６０】
このとき、方針管理装置６００はＡＮＤＳＦ装置として具現されることができ、この場合、予め定義されたデバイス−ＡＮＤＳＦ装置間のプロトコルを利用して優先接続ネットワークインターフェース情報を送信装置１００に提供できる。
【０１６１】
送信装置１００は、上述のように、同時伝送サービスにおいて利用しようとする２つ以上のネットワークのうち認証された第１ネットワークすなわち３Ｇネットワークに優先接続した後、主体的に周辺ネットワークインターフェース（ＡＰ）の性能を推定する従来の動作を行なわない。
【０１６２】
そして、送信装置１００は、接続可能な少なくとも一つのネットワークインターフェースに対する装置性能に基づいて生成された優先接続ネットワークインターフェース情報を含むネットワーク選択方針を取得する。
【０１６３】
すなわち、送信装置１００は、予め接続済みの認証されたネットワークすなわち３Ｇネットワークを通して方針管理装置６００からネットワーク選択方針を受信することになる。
【０１６４】
よって、送信装置１００は、ネットワーク選択方針に含まれた優先接続ネットワークインターフェース情報に従って特定ネットワークインターフェースに優先接続する。
【０１６５】
すなわち、送信装置１００は、優先接続ネットワークインターフェース情報に含まれた、優先接続を誘導するネットワークインターフェース３００ａ，３００ｂを表す優先接続リスト、及び接続試行を制限するネットワークインターフェース３００ｃ，３００ｄを表す接続制限リストを確認することができる。
【０１６６】
ここで、送信装置１００は、優先接続リストによるネットワークインターフェース３００ａ，３００ｂすなわちＷｉＦｉ ＡＰ１（３００ａ）とＷｉＦｉ ＡＰ２（３００ｂ）のうちのどちらか一方に優先接続を試み、接続制限リストによるネットワークインターフェース３００ｃ，３００ｄには接続を試みない。
【０１６７】
また、送信装置１００は、ＷｉＦｉ ＡＰ１（３００ａ）とＷｉＦｉ ＡＰ２（３００ｂ）のうちのどちらか一方への接続が成功すれば、接続されたＷｉＦｉ ＡＰ１（３００ａ）とＷｉＦｉ ＡＰ２（３００ｂ）のうちのどちらか一方を通して、同時伝送サービスにおいて利用しようとする２つ以上のネットワークのうちの第２ネットワークすなわちＷｉＦｉネットワークに接続するようになる。
【０１６８】
このように、送信装置１００は、ＷｉＦｉネットワークに対応して主体的に最適ネットワークインターフェース（ＡＰ）を推定するための従来の動作を行なわず、方針管理装置６００から提供される優先接続ネットワークインターフェース情報を基に特定ネットワークインターフェース（ＡＰ）へ優先接続することにより、最適のネットワークインターフェース（ＡＰ）を通してＷｉＦｉネットワークに接続できる。
【０１６９】
そして、送信装置１００は、同時伝送サービスにおいて利用しようとする２つ以上のネットワーク（例：３Ｇ、ＷｉＦｉ）全てに接続されれば、同時伝送サービスを利用することができる。
【０１７０】
すなわち、送信装置１００は、同時伝送サービスを利用するために、伝送対象データを分割し、上述のネットワーク選択方針に従って伝送対象データから分割された部分データを選択する。
【０１７１】
つまり、送信装置１００は、ネットワーク選択方針に含まれたネットワーク（例：３Ｇ及びＷｉＦｉ）別データ伝送速度、すなわち第１ネットワークインターフェース２００へのデータ伝送のための第１伝送速度及び第２ネットワークインターフェース３００へのデータ伝送のための第２伝送速度を確認し、確認された伝送速度に基づいて伝送対象データから分割された部分データのうち第１ネットワークインターフェース２００に伝送する第１部分データを選択すると共に、残りの部分データを第２ネットワークインターフェース３００に伝送する第２部分データとして選択する。
【０１７２】
そして、送信装置１００は、ネットワーク別に選択された部分データを、認証されたネットワーク、及び上記優先接続した特定ネットワークインターフェースにより接続されたネットワークが含まれる２つ以上のネットワークを通して伝送する。
【０１７３】
すなわち、送信装置１００は、認証されたネットワークすなわち３Ｇネットワークに対応して選択された多数の第１部分データを３Ｇネットワークに位置する第１ネットワークインターフェース２００へ送信し、上述の優先接続した特定ネットワークインターフェースにより接続されたネットワークすなわちＷｉＦｉネットワークに対応して選択された多数の第２部分データをＷｉＦｉネットワークに位置する第２ネットワークインターフェース３００へ送信することにより、第１ネットワークインターフェース２００は第１部分データを管理装置４００に伝送し、第２ネットワークインターフェース３００は第２部分データを管理装置４００に伝送する。
【０１７４】
このように、管理装置４００は、送信装置１００から伝送される第１部分データを、第１ネットワークインターフェース２００を通して受信し、第２部分データを、第２ネットワークインターフェース３００を通して受信する。
【０１７５】
また、管理装置４００は、受信された第１部分データ及び第２部分データに含まれた仮想ネットワーク接続情報を基にデータを生成することにより、送信装置１００が伝送しようとした伝送対象データに復元する。すなわち、管理装置４００は、受信される色々な部分データに含まれた仮想ネットワーク接続情報を基に、一つのデータから分割されたことを表す同一仮想ネットワーク接続情報を有する第１部分データ及び第２部分データを認知し、これらを該当部分データに含まれた順序情報に沿って組合せ及び結合することにより、本来の伝送対象データを生成できる。
【０１７６】
また、管理装置４００は、復元された本来の伝送対象データを外部装置５００へ伝達する。
【０１７７】
以下、図８を参照して本発明による方針管理装置の構成をより具体的に説明する。
【０１７８】
本発明による方針管理装置６００は、特定送信装置１００に対応して送信装置１００の位置で接続可能な少なくとも一つのネットワークインターフェースに対する装置性能を判断する性能判断部６１０と、上記判断された少なくとも一つのネットワークインターフェースに対する装置性能に基づいて優先接続ネットワークインターフェース情報を生成する情報生成部６２０と、上記生成された優先接続ネットワークインターフェース情報を含むネットワーク選択方針を接続されたネットワークを通して送信装置１００に提供して、特定ネットワークインターフェースへの優先接続を誘導する方針提供部６３０と、を含む。
【０１７９】
性能判断部６１０は、送信装置１００に対応して送信装置１００の位置で接続可能な少なくとも一つのネットワークインターフェースに対する装置性能を判断する。
【０１８０】
より具体的に、性能判断部６１０は、送信装置１００に対応して上記少なくとも一つのネットワークインターフェースに対する接続履歴情報及び動作状態情報のうちの少なくともどちらか一方を取得し、取得した接続履歴情報及び動作状態情報のうちの少なくともどちらか一方を分析して上記少なくとも一つのネットワークインターフェースに対する装置性能を判断できる。
【０１８１】
例えば、性能判断部６１０は、送信装置１００に対応して送信装置１００の位置で接続可能な少なくとも一つのネットワークインターフェースを認知する。
【０１８２】
すなわち、性能判断部６１０は、送信装置１００に対応して認証された３Ｇネットワークを基に認知される送信装置位置情報を位置管理サーバー８００から取得できる。もちろん、性能判断部６１０は、送信装置１００に対応する位置情報をＧＰＳ基盤で取得するなど多様な方式を通して取得することもできる。
【０１８３】
そして、性能判断部６１０は、ＷｉＦｉ ＡＰに関する多様な情報を管理するＷｉＦｉ管理サーバー７００との連動を通して、送信装置１００の位置情報に対応する地域に位置する少なくとも一つのネットワークインターフェース（ＷｉＦｉ ＡＰ）、すなわち送信装置１００が接続できる位置にある少なくとも一つのネットワークインターフェース３００ａ，３００ｂ，３００ｃ，３００ｄを認知できる。
【０１８４】
そして、性能判断部６１０は、ＷｉＦｉ管理サーバー７００との連動を通して、接続可能な少なくとも一つのネットワークインターフェース３００ａ，３００ｂ，３００ｃ，３００ｄに対する装置性能を判断できる。
【０１８５】
すなわち、性能判断部６１０は、送信装置１００に対応して少なくとも一つのネットワークインターフェース３００ａ，３００ｂ，３００ｃ，３００ｄに対する接続履歴情報及び動作状態情報のうちの少なくともどちらか一方をＷｉＦｉ管理サーバー７００から取得し、取得した接続履歴情報及び動作状態情報のうちの少なくともどちらか一方を分析して少なくとも一つのネットワークインターフェース３００ａ，３００ｂ，３００ｃ，３００ｄに対する装置性能を判断できる。
【０１８６】
ここで、接続履歴情報は、送信装置１００が少なくとも一つのネットワークインターフェース３００ａ，３００ｂ，３００ｃ，３００ｄ各々に対して過去接続した履歴（例：接続回数、接続試行回数、接続試行時の認証失敗率など）を含み、動作状態情報は少なくとも一つのネットワークインターフェース３００ａ，３００ｂ，３００ｃ，３００ｄの現在誤動作有無、接続された認証端末の数、処理トラフィック量などを含むことができる。
【０１８７】
このように、性能判断部６１０は、網情報を活用して、特定送信装置１００に対応して少なくとも一つのネットワークインターフェース（ＷｉＦｉ ＡＰ）に対する装置性能を判断する。
【０１８８】
情報生成部６２０は、性能判断部６１０で判断された少なくとも一つのネットワークインターフェースに対する装置性能に基づいて、送信装置１００に対応して優先接続ネットワークインターフェース情報を生成する。
【０１８９】
より具体的に、情報生成部６２０は、性能判断部６１０で判断された少なくとも一つのネットワークインターフェースに対する装置性能に基づいて、優先接続を誘導するネットワークインターフェースを表す優先接続リスト、及び接続試行を制限するネットワークインターフェースを表す接続制限リストのうちの少なくともどちらか一方を含む優先接続ネットワークインターフェース情報を生成できる。
【０１９０】
例えば、情報生成部６２０は、性能判断部６１０で判断されたネットワークインターフェース３００ａ，３００ｂ，３００ｃ，３００ｄ各々に対する装置性能に基づいて、装置性能が優れた順序に沿って上位ｎ個のネットワークインターフェース（例：３００ａ、３００ｂ）を選定し優先接続を誘導するネットワークインターフェース３００ａ，３００ｂを表す優先接続リストを生成し、装置性能が性能基準値よりも劣るネットワークインターフェース（例：３００ｃ、３００ｄ）を選定し接続試行を制限するネットワークインターフェース３００ｃ，３００ｄを表す接続制限リストを生成できる。
【０１９１】
このように情報生成部６２０は、生成した優先接続リスト及び接続制限リストを含む優先接続ネットワークインターフェース情報を生成できる。
【０１９２】
方針提供部６３０は、情報生成部６２０で生成された優先接続ネットワークインターフェース情報を含むネットワーク選択方針を接続されたネットワークを通して送信装置１００に提供して、特定ネットワークインターフェースへの優先接続を誘導する。
【０１９３】
より具体的に、方針提供部６３０は、情報生成部６２０で生成された優先接続ネットワークインターフェース情報を含むネットワーク選択方針を、認証されたネットワークすなわち３Ｇネットワークを通して送信装置１００に提供できる。
【０１９４】
もちろん、方針提供部６３０は、生成された優先接続ネットワークインターフェース情報をネットワーク選択方針とは別途に、認証されたネットワークすなわち３Ｇネットワークを通して送信装置１００に提供することもできる。
【０１９５】
このとき、方針提供部６３０は、ＡＮＤＳＦ装置で定義されたデバイス−ＡＮＤＳＦ装置間のプロトコルを利用して優先接続ネットワークインターフェース情報を送信装置１００に提供できる。
【０１９６】
以下、図９を参照して本発明による送信装置の構成を説明する。
【０１９７】
本発明による送信装置１００は、接続可能な少なくとも一つのネットワークインターフェースに対する装置性能に基づいて生成された優先接続ネットワークインターフェース情報を含むネットワーク選択方針を取得する情報取得部１１０と、上記取得されたネットワーク選択方針に従って伝送対象データから分割された部分データを選択する制御部１２０と、上記ネットワーク選択方針に含まれた上記優先接続ネットワークインターフェース情報に従って特定ネットワークインターフェースに優先接続して、上記選択された部分データを伝送する通信部１３０と、を含む。
【０１９８】
ここで、通信部１３０は、３Ｇネットワークを利用して第１ネットワークインターフェース２００と連動し、ＷｉＦｉネットワークを利用して第２ネットワークインターフェース３００と連動するための通信モジュールを指す。
【０１９９】
また、送信装置１００が同時伝送サービスを利用しようとすれば、通信部１３０は同時伝送サービスにおいて利用しようとする２つ以上のネットワークのうち認証された第１ネットワークすなわち３Ｇネットワークに優先接続することが望ましい。
【０２００】
また、通信部１３０は、２つ以上のネットワークのうちの特定第２ネットワークすなわちＷｉＦｉネットワークに接続しようと主体的に周辺第２ネットワークインターフェース（ＡＰ）の性能を推定する従来の動作を行なわない。
【０２０１】
情報取得部１１０は、接続可能な少なくとも一つのネットワークインターフェースに対する装置性能に基づいて生成された優先接続ネットワークインターフェース情報を含むネットワーク選択方針を取得する。
【０２０２】
より具体的に、情報取得部１１０は、認証されたネットワークすなわち３Ｇネットワークを通して方針管理装置６００から、送信装置１００の接続可能な少なくとも一つのネットワークインターフェースに対する接続履歴情報及び動作状態情報のうちの少なくともどちらか一方を分析して判断される上記少なくとも一つのネットワークインターフェースに対する装置性能に基づいて生成された上記優先接続ネットワークインターフェース情報を含む上記ネットワーク選択方針を受信することができる。
【０２０３】
すなわち、情報取得部１１０は、認証されたネットワークすなわち３Ｇネットワークを通して方針管理装置６００から、上述のように優先接続リスト及び接続制限リストを含む優先接続ネットワークインターフェース情報を受信することができる。
【０２０４】
または、情報取得部１１０は、認証されたネットワークすなわち３Ｇネットワークを通して方針管理装置６００から、優先接続ネットワークインターフェース情報を含むネットワーク選択方針を受信することができる。
【０２０５】
このように優先接続ネットワークインターフェース情報を取得するようになれば、通信部１３０は、優先接続ネットワークインターフェース情報に従って特定ネットワークインターフェースに優先接続する。
【０２０６】
より具体的に、通信部１３０は、優先接続ネットワークインターフェース情報に含まれた、優先接続を誘導するネットワークインターフェース３００ａ，３００ｂを表す優先接続リスト、及び接続試行を制限するネットワークインターフェース３００ｃ，３００ｄを表す接続制限リストを確認することができる。
【０２０７】
また、通信部１３０は、優先接続リストによるネットワークインターフェース３００ａ，３００ｂすなわちＷｉＦｉ ＡＰ１（３００ａ）とＷｉＦｉ ＡＰ２（３００ｂ）のうちのどちらか一方に優先接続を試み、接続制限リストによるネットワークインターフェース３００ｃ，３００ｄには接続を試みない。
【０２０８】
ここで、通信部１３０は、ＷｉＦｉ ＡＰ１（３００ａ）とＷｉＦｉ ＡＰ２（３００ｂ）のうちのどちらか一方への接続が成功すれば、接続されたＷｉＦｉ ＡＰ１（３００ａ）とＷｉＦｉ ＡＰ２（３００ｂ）のうちのどちらか一方を通して、同時伝送サービスにおいて利用しようとする２つ以上のネットワークのうちの第２ネットワークすなわちＷｉＦｉネットワークに接続するようになる。
【０２０９】
このように、送信装置１００は、ＷｉＦｉネットワークに対応して主体的に最適のネットワークインターフェース（ＡＰ）を推定するための従来の動作を行なわず、方針管理装置６００から提供される優先接続ネットワークインターフェース情報を基に特定ネットワークインターフェース（ＡＰ）へ優先接続することにより、最適のネットワークインターフェース（ＡＰ）を通してＷｉＦｉネットワークに接続できる。
【０２１０】
そして、送信装置１００は、同時伝送サービスにおいて利用しようとする２つ以上のネットワーク（例：３Ｇ、ＷｉＦｉ）全てに接続されれば、同時伝送サービスを利用できる。
【０２１１】
すなわち、制御部１２０は、取得されたネットワーク選択方針に従って伝送対象データから分割された部分データを選択して通信部１３０へ提供する。
【０２１２】
例えば、制御部１２０は、同時伝送サービスを利用するために伝送対象データを分割し、上述のネットワーク選択方針に従って伝送対象データから分割された部分データを選択する。
【０２１３】
すなわち、制御部１２０は、ネットワーク選択方針に含まれたネットワーク（例：３Ｇ及びＷｉＦｉ）別データ伝送速度、すなわち第１ネットワークインターフェース２００へのデータ伝送のための第１伝送速度及び第２ネットワークインターフェース３００へのデータ伝送のための第２伝送速度を確認し、確認された伝送速度に基づいて伝送対象データから分割された部分データのうち第１ネットワークインターフェース２００に伝送する第１部分データを選択すると共に、残りの部分データを第２ネットワークインターフェース３００に伝送する第２部分データとして選択し、これを通信部１３０へ提供する。
【０２１４】
ここで、通信部１３０は、ネットワーク別に選択された部分データを上述の認証されたネットワークすなわち３Ｇネットワーク、及び上述の優先接続した特定ネットワークインターフェースにより接続されたネットワークすなわちＷｉＦｉネットワークを通して伝送する。
【０２１５】
以上で説明したように、本発明による送信装置及び方針管理装置を含む多重ネットワークに基づく同時データ伝送サービスシステムは、多重ネットワーク（Heterogeneous network）環境で伝送対象データを分割して同時伝送するにあたり、方針管理装置が、送信装置で接続可能なネットワークインターフェース（ＡＰ）のうち、網情報を活用した装置性能分析を通して、性能が優れた優先接続対象のネットワークインターフェース（ＡＰ）、及び接続を試みる必要がないネットワークインターフェース（ＡＰ）を選別した優先接続ネットワークインターフェース情報を送信装置に提供することにより、送信装置は主体的に周辺ネットワークインターフェース（ＡＰ）の性能を推定しなくても方針管理装置からの優先接続ネットワークインターフェース情報を基に最適のネットワークインターフェース（ＡＰ）に接続するようになる。
【０２１６】
以下、図１０ないし図１２を参照して本発明の望ましい実施例による多重ネットワーク基盤データ同時伝送方法を説明する。ここで、説明の便宜のために、上述の図７ないし図９に示された構成は、該当参照番号に言及して説明する。
【０２１７】
先ず、図１０を参照して本発明の望ましい実施例による多重ネットワークに基づく同時データ伝送方法を説明する。
【０２１８】
同時伝送サービス利用のために送信装置１００は、同時伝送サービスにおいて利用しようとする２つ以上のネットワーク（例：３Ｇ及びＷｉＦｉ）に接続しなければならない。
【０２１９】
ここで送信装置１００は、同時伝送サービスにおいて利用しようとする２つ以上のネットワークのうち認証された第１ネットワークすなわち３Ｇネットワークに優先接続することが望ましい（Ｓ１０）。
【０２２０】
方針管理装置６００は、３Ｇネットワークに接続された送信装置１００に対応して送信装置１００の位置で接続可能な少なくとも一つのネットワークインターフェースに対する装置性能を判断する。
【０２２１】
すなわち、方針管理装置６００は、送信装置１００に対応して送信装置１００の位置で接続可能な少なくとも一つのネットワークインターフェースを認知する（Ｓ２０）。
【０２２２】
例えば、方針管理装置６００は、送信装置１００に対応して、認証された３Ｇネットワークを基に認知される送信装置位置情報を位置管理サーバー８００から取得できる。ここで、位置管理サーバー８００は、３Ｇネットワークによる基地局装置、ＧＧＳＮなどの装置位置及び緯度／経度などの情報を利用して送信装置の位置情報を提供するサーバーである。もちろん、方針管理装置６００は、送信装置１００に対応する位置情報をＧＰＳに基づいて取得するなど多様な方式を通して取得することもできる。
【０２２３】
そして、方針管理装置６００は、ＷｉＦｉ ＡＰに関する多様な情報を管理するＷｉＦｉ管理サーバー７００との連動を通して、送信装置１００の位置情報に対応する地域に位置する少なくとも一つのネットワークインターフェース（ＷｉＦｉ ＡＰ）、すなわち送信装置１００が接続できる位置にある少なくとも一つのネットワークインターフェース３００ａ，３００ｂ，３００ｃ，３００ｄを認知できる。
【０２２４】
そして、方針管理装置６００は、ＷｉＦｉ管理サーバー７００との連動を通して、接続可能な少なくとも一つのネットワークインターフェース３００ａ，３００ｂ，３００ｃ，３００ｄに対する装置性能を判断できる（Ｓ３０）。
【０２２５】
すなわち、方針管理装置６００は、送信装置１００に対応して少なくとも一つのネットワークインターフェース３００ａ，３００ｂ，３００ｃ，３００ｄに対する接続履歴情報及び動作状態情報のうちの少なくともどちらか一方をＷｉＦｉ管理サーバー７００から取得し、取得した接続履歴情報及び動作状態情報のうちの少なくともどちらか一方を分析して少なくとも一つのネットワークインターフェース３００ａ，３００ｂ，３００ｃ，３００ｄに対する装置性能を判断できる。
【０２２６】
このように、方針管理装置６００は、網情報を活用して、特定送信装置１００に対応して少なくとも一つのネットワークインターフェース（ＷｉＦｉ ＡＰ）に対する装置性能を判断する。
【０２２７】
そして、方針管理装置６００は、判断された少なくとも一つのネットワークインターフェース３００ａ，３００ｂ，３００ｃ，３００ｄに対する装置性能に基づいて、送信装置１００に対応して優先接続ネットワークインターフェース情報を生成する（Ｓ４０）。
【０２２８】
例えば、方針管理装置６００は、判断された少なくとも一つのネットワークインターフェース３００ａ，３００ｂ，３００ｃ，３００ｄに対する装置性能に基づいて、優先接続を誘導するネットワークインターフェース３００ａ，３００ｂを表す優先接続リスト、及び接続試行を制限するネットワークインターフェース３００ｃ，３００ｄを表す接続制限リストのうちの少なくともどちらか一方を含む優先接続ネットワークインターフェース情報を生成できる。
【０２２９】
そして、方針管理装置６００は、生成された優先接続ネットワークインターフェース情報を含むネットワーク選択方針を、認証されたネットワークすなわち３Ｇネットワークを通して送信装置１００に提供できる（Ｓ６０）。
【０２３０】
もちろん、方針管理装置６００は、生成された優先接続ネットワークインターフェース情報をネットワーク選択方針とは別途に、認証されたネットワークすなわち３Ｇネットワークを通して送信装置１００に提供することもできる。
【０２３１】
このとき、方針管理装置６００はＡＮＤＳＦ装置として具現されることができ、この場合、予め定義されたデバイス−ＡＮＤＳＦ装置間のプロトコルを利用して優先接続ネットワークインターフェース情報を送信装置１００に提供できる。
【０２３２】
送信装置１００は、上述のように同時伝送サービスにおいて利用しようとする２つ以上のネットワークのうち認証された第１ネットワークすなわち３Ｇネットワークに優先接続した後（Ｓ１０）、主体的に周辺ネットワークインターフェース（ＡＰ）の性能を推定する従来の動作を行なわない。
【０２３３】
そして、送信装置１００は、接続可能な少なくとも一つのネットワークインターフェースに対する装置性能に基づいて生成された優先接続ネットワークインターフェース情報を含むネットワーク選択方針を取得する。
【０２３４】
すなわち、送信装置１００は、予め接続済みの認証されたネットワーク、すなわち３Ｇネットワークを通して方針管理装置６００からネットワーク選択方針を受信する（Ｓ５０）。
【０２３５】
また、送信装置１００は、ネットワーク選択方針に含まれた優先接続ネットワークインターフェース情報に従って特定ネットワークインターフェースに優先接続する（Ｓ６０）。
【０２３６】
すなわち、送信装置１００は、優先接続ネットワークインターフェース情報に含まれた、優先接続を誘導するネットワークインターフェース３００ａ，３００ｂを表す優先接続リスト、及び接続試行を制限するネットワークインターフェース３００ｃ，３００ｄを表す接続制限リストを確認することができる。
【０２３７】
ここで、送信装置１００は、優先接続リストによるネットワークインターフェース３００ａ，３００ｂすなわちＷｉＦｉ ＡＰ１（３００ａ）とＷｉＦｉ ＡＰ２（３００ｂ）のうちのどちらか一方に優先接続を試み、接続制限リストによるネットワークインターフェース３００ｃ，３００ｄには接続を試みない。
【０２３８】
また、送信装置１００は、ＷｉＦｉ ＡＰ１（３００ａ）とＷｉＦｉ ＡＰ２（３００ｂ）のうちのどちらか一方への接続が成功すれば、接続されたＷｉＦｉ ＡＰ１（３００ａ）とＷｉＦｉ ＡＰ２（３００ｂ）のうちのどちらか一方を通して、同時伝送サービスにおいて利用しようとする２つ以上のネットワークのうちの第２ネットワークすなわちＷｉＦｉネットワークに接続するようになる。
【０２３９】
このように、送信装置１００は、ＷｉＦｉネットワークに対応して主体的に最適のネットワークインターフェース（ＡＰ）を推定するための従来の動作を行なわず、方針管理装置６００から提供される優先接続ネットワークインターフェース情報を基に特定ネットワークインターフェース（ＡＰ）へ優先接続することにより、最適のネットワークインターフェース（ＡＰ）を通してＷｉＦｉネットワークに接続できる。
【０２４０】
そして、送信装置１００は、同時伝送サービスにおいて利用しようとする２つ以上のネットワーク（例：３Ｇ、ＷｉＦｉ）全てに接続されれば、同時伝送サービスを利用できる。
【０２４１】
すなわち、送信装置１００は、同時伝送サービスを利用するために伝送対象データを分割し、上述のネットワーク選択方針に従って伝送対象データから分割された部分データを選択する（Ｓ７０）。
【０２４２】
そして、送信装置１００は、ネットワーク別に選択された部分データを、認証されたネットワーク、及び上記優先接続した特定ネットワークインターフェースにより接続されたネットワークが含まれる２つ以上のネットワークを通して伝送する。
【０２４３】
すなわち、送信装置１００は、認証されたネットワークすなわち３Ｇネットワークに対応して選択された多数の第１部分データを３Ｇネットワークに位置する第１ネットワークインターフェース２００へ送信し（Ｓ８０）、上述の優先接続した特定ネットワークインターフェースにより接続されたネットワークすなわちＷｉＦｉネットワークに対応して選択された多数の第２部分データをＷｉＦｉネットワークに位置する第２ネットワークインターフェース３００へ送信することによって（Ｓ８５）第１ネットワークインターフェース２００は第１部分データを管理装置４００に伝送し、第２ネットワークインターフェース３００は第２部分データを管理装置４００に伝送する。
【０２４４】
このように、管理装置４００は、送信装置１００から伝送される第１部分データを、第１ネットワークインターフェース２００を通して受信し、第２部分データを第２ネットワークインターフェース３００を通して受信すれば、これらを該当部分データに含まれた順序情報に沿って組合せ及び結合することにより、本来の伝送対象データを生成できる。
【０２４５】
そして、管理装置４００は、復元された本来の伝送対象データを外部装置５００へ伝達する。
【０２４６】
以下、図１１を参照して本発明による方針管理装置の動作方法をより具体的に説明する。
【０２４７】
本発明による方針管理装置の動作方法では、送信装置１００に対応して送信装置１００の位置で接続可能な少なくとも一つのネットワークインターフェースに対する装置性能を判断する（Ｓ１００〜Ｓ１２０）。
【０２４８】
より具体的に、本発明による方針管理装置の動作方法では、送信装置１００に対応して上記少なくとも一つのネットワークインターフェースに対する接続履歴情報及び動作状態情報のうちの少なくともどちらか一方を取得し、取得した接続履歴情報及び動作状態情報のうちの少なくともどちらか一方を分析して上記少なくとも一つのネットワークインターフェースに対する装置性能を判断できる。
【０２４９】
例えば、本発明による方針管理装置の動作方法では、送信装置１００に対応して送信装置１００の位置で接続可能な少なくとも一つのネットワークインターフェースを認知する（Ｓ１００）。
【０２５０】
すなわち、本発明による方針管理装置の動作方法では、送信装置１００に対応して、認証された３Ｇネットワークを基に認知される送信装置の位置情報を位置管理サーバー８００から取得できる。もちろん、上記方法の他に、送信装置１００に対応する位置情報をＧＰＳ基盤で取得するなど多様な方式を通して取得することもできる。
【０２５１】
そして、本発明による方針管理装置の動作方法では、ＷｉＦｉ ＡＰに関する多様な情報を管理するＷｉＦｉ管理サーバー７００との連動を通して、送信装置１００の位置情報に対応する地域に位置する少なくとも一つのネットワークインターフェース（ＷｉＦｉ ＡＰ）、すなわち送信装置１００が接続できる位置にある少なくとも一つのネットワークインターフェース３００ａ，３００ｂ，３００ｃ，３００ｄを認知できる。
【０２５２】
そして、本発明による方針管理装置の動作方法では、ＷｉＦｉ管理サーバー７００との連動を通して、接続可能な少なくとも一つのネットワークインターフェース３００ａ，３００ｂ，３００ｃ，３００ｄに対する装置性能を判断できる。
【０２５３】
すなわち、本発明による方針管理装置の動作方法では、送信装置１００に対応して少なくとも一つのネットワークインターフェース３００ａ，３００ｂ，３００ｃ，３００ｄに対する接続履歴情報及び動作状態情報のうちの少なくともどちらか一方をＷｉＦｉ管理サーバー７００から取得し（Ｓ１１０）、取得した接続履歴情報及び動作状態情報のうちの少なくともどちらか一方を分析して少なくとも一つのネットワークインターフェース３００ａ，３００ｂ，３００ｃ，３００ｄに対する装置性能を判断できる（Ｓ１２０）。
【０２５４】
ここで、接続履歴情報は、送信装置１００が少なくとも一つのネットワークインターフェース３００ａ，３００ｂ，３００ｃ，３００ｄ各々に対して過去接続した履歴（例：接続回数、接続試行回数、接続試行時の認証失敗率など）を含み、動作状態情報は、少なくとも一つのネットワークインターフェース３００ａ，３００ｂ，３００ｃ，３００ｄの現在誤動作有無、接続された認証端末の数、処理トラフィック量などを含むことができる。
【０２５５】
このように、本発明による方針管理装置の動作方法では、網情報を活用して、特定送信装置１００に対応して少なくとも一つのネットワークインターフェース（ＷｉＦｉ ＡＰ）に対する装置性能を判断する。
【０２５６】
本発明による方針管理装置の動作方法では、判断された少なくとも一つのネットワークインターフェースに対する装置性能に基づいて、送信装置１００に対応して優先接続ネットワークインターフェース情報を生成する（Ｓ１３０）。
【０２５７】
より具体的に、本発明による方針管理装置の動作方法では、判断された少なくとも一つのネットワークインターフェースに対する装置性能に基づいて、優先接続を誘導するネットワークインターフェースを表す優先接続リスト、及び接続試行を制限するネットワークインターフェースを表す接続制限リストのうちの少なくともどちらか一方を含む優先接続ネットワークインターフェース情報を生成できる。
【０２５８】
例えば、本発明による方針管理装置の動作方法では、判断されたネットワークインターフェース３００ａ，３００ｂ，３００ｃ，３００ｄ各々に対する装置性能に基づいて、装置性能が優れた順序に沿って上位ｎ個のネットワークインターフェース（例：３００ａ、３００ｂ）を選定し優先接続を誘導するネットワークインターフェース３００ａ，３００ｂを表す優先接続リストを生成し、装置性能が性能基準値よりも劣るネットワークインターフェース（例：３００ｃ、３００ｄ）を選定し接続試行を制限するネットワークインターフェース３００ｃ，３００ｄを表す接続制限リストを生成できる。
【０２５９】
このように本発明による方針管理装置の動作方法では、生成した優先接続リスト及び接続制限リストを含む優先接続ネットワークインターフェース情報を生成できる。
【０２６０】
本発明による方針管理装置の動作方法では、生成された優先接続ネットワークインターフェース情報を含むネットワーク選択方針を接続されたネットワークを通して送信装置１００に提供して（Ｓ１４０）、特定ネットワークインターフェースへの優先接続を誘導する。
【０２６１】
より具体的に、本発明による方針管理装置の動作方法では、生成された優先接続ネットワークインターフェース情報を含むネットワーク選択方針を、認証されたネットワークすなわち３Ｇネットワークを通して送信装置１００に提供できる。
【０２６２】
もちろん、上記方法の他に、生成された優先接続ネットワークインターフェース情報をネットワーク選択方針とは別途に、認証されたネットワークすなわち３Ｇネットワークを通して送信装置１００に提供することもできる。
【０２６３】
このとき、本発明による方針管理装置の動作方法では、ＡＮＤＳＦ装置で定義されたデバイス−ＡＮＤＳＦ装置間のプロトコルを利用して優先接続ネットワークインターフェース情報を送信装置１００に提供できる。
【０２６４】
以下、図１２を参照して本発明による送信装置の動作方法をより具体的に説明する。
【０２６５】
本発明による送信装置の動作方法では、同時伝送サービスにおいて利用しようとする２つ以上のネットワークのうち認証された第１ネットワークすなわち３Ｇネットワークに優先接続することが望ましい（Ｓ２００）。
【０２６６】
また、本発明による送信装置の動作方法では、２つ以上のネットワークのうちの特定第２ネットワークすなわちＷｉＦｉネットワークに接続しようと主体的に周辺第２ネットワークインターフェース（ＡＰ）の性能を推定する従来の動作を行なわない。
【０２６７】
本発明による送信装置の動作方法では、接続可能な少なくとも一つのネットワークインターフェースに対する装置性能に基づいて生成された優先接続ネットワークインターフェース情報を含むネットワーク選択方針を取得する（Ｓ２１０）。
【０２６８】
より具体的に、本発明による送信装置の動作方法では、認証されたネットワークすなわち３Ｇネットワークを通して方針管理装置６００から、送信装置１００の接続可能な少なくとも一つのネットワークインターフェースに対する接続履歴情報及び動作状態情報のうちの少なくともどちらか一方を分析して判断される上記少なくとも一つのネットワークインターフェースに対する装置性能に基づいて生成された上記優先接続ネットワークインターフェース情報を含む上記ネットワーク選択方針を受信することができる。
【０２６９】
すなわち、本発明による送信装置の動作方法では、認証されたネットワークすなわち３Ｇネットワークを通して方針管理装置６００から、上述のように優先接続リスト及び接続制限リストを含む優先接続ネットワークインターフェース情報を受信することができる。
【０２７０】
または、本発明による送信装置の動作方法では、認証されたネットワークすなわち３Ｇネットワークを通して方針管理装置６００から、優先接続ネットワークインターフェース情報を含むネットワーク選択方針を受信することができる。
【０２７１】
このように優先接続ネットワークインターフェース情報を取得するようになれば、本発明による送信装置の動作方法では、優先接続ネットワークインターフェース情報に従って特定ネットワークインターフェースに優先接続する（Ｓ２２０）。
【０２７２】
より具体的に、本発明による送信装置の動作方法では、優先接続ネットワークインターフェース情報に含まれた、優先接続を誘導するネットワークインターフェース３００ａ，３００ｂを表す優先接続リスト、及び接続試行を制限するネットワークインターフェース３００ｃ，３００ｄを表す接続制限リストを確認することができる。
【０２７３】
ここで、本発明による送信装置の動作方法では、優先接続リストによるネットワークインターフェース３００ａ，３００ｂつまりＷｉＦｉ ＡＰ１（３００ａ）とＷｉＦｉ ＡＰ２（３００ｂ）のうちのどちらか一方に優先接続を試み、接続制限リストによるネットワークインターフェース３００ｃ，３００ｄには接続を試みない。
【０２７４】
また、本発明による送信装置の動作方法では、ＷｉＦｉ ＡＰ１（３００ａ）とＷｉＦｉ ＡＰ２（３００ｂ）のうちのどちらか一方への接続が成功すれば、接続されたＷｉＦｉ ＡＰ１（３００ａ）とＷｉＦｉ ＡＰ２（３００ｂ）のうちのどちらか一方を通して、同時伝送サービスにおいて利用しようとする２つ以上のネットワークのうちの第２ネットワークすなわちＷｉＦｉネットワークに接続するようになる。
【０２７５】
このように、本発明による送信装置の動作方法では、ＷｉＦｉネットワークに対応して主体的に最適ネットワークインターフェース（ＡＰ）を推定するための従来の動作を行なわず、方針管理装置６００から提供される優先接続ネットワークインターフェース情報を基に特定ネットワークインターフェース（ＡＰ）へ優先接続することにより、最適のネットワークインターフェース（ＡＰ）を通してＷｉＦｉネットワークに接続できる。
【０２７６】
そして、本発明による送信装置の動作方法では、同時伝送サービスにおいて利用しようとする２つ以上のネットワーク（例：３Ｇ、ＷｉＦｉ）全てに接続されれば、同時伝送サービスを利用できる（Ｓ２３０〜Ｓ２４０）。
【０２７７】
すなわち本発明による送信装置の動作方法では、取得されたネットワーク選択方針に従って同時伝送サービスを利用するために伝送対象データを分割し、上述のネットワーク選択方針に従って伝送対象データから分割された部分データを選択する。
【０２７８】
すなわち、本発明による送信装置の動作方法では、ネットワーク選択方針に含まれたネットワーク（例：３Ｇ及びＷｉＦｉ）別データ伝送速度、すなわち第１ネットワークインターフェース２００へのデータ伝送のための第１伝送速度及び第２ネットワークインターフェース３００へのデータ伝送のための第２伝送速度を確認し、確認された伝送速度に基づいて伝送対象データから分割された部分データのうち第１ネットワークインターフェース２００に伝送する第１部分データを選択すると共に、残りの部分データを第２ネットワークインターフェース３００に伝送する第２部分データとして選択する。
【０２７９】
そして、本発明による送信装置の動作方法では、ネットワーク別に選択された部分データを、上述の認証されたネットワークすなわち３Ｇネットワーク、及び上述の優先接続した特定ネットワークインターフェースにより接続されたネットワークすなわちＷｉＦｉネットワークを通して伝送する（Ｓ２４０）。
【０２８０】
以上で説明したように、本発明による多重ネットワークに基づく同時データ伝送サービス方法では、多重ネットワーク（Heterogeneous network）環境で伝送対象データを分割して同時伝送するにあたり、方針管理装置が送信装置で接続可能なネットワークインターフェース（ＡＰ）のうち、網情報を活用した装置性能分析を通して、性能が優れた優先接続対象のネットワークインターフェース（ＡＰ）及び接続を試みる必要がないネットワークインターフェース（ＡＰ）を選別した優先接続ネットワークインターフェース情報を送信装置に提供することにより、送信装置が主体的に周辺ネットワークインターフェース（ＡＰ）の性能を推定しなくても方針管理装置からの優先接続ネットワークインターフェース情報を基に最適のネットワークインターフェース（ＡＰ）に接続するようにする。
【０２８１】
一方、ここに提示された実施例等と関連して説明された方法またはアルゴリズムの段階は、ハードウェアで直接具現されるか、プロセッサにより実行されるソフトウェアモジュールで具現されるか、またはこれらの結合により具現されることができる。ソフトウェアモジュールは、ＲＡＭメモリー、フラッシュメモリー、ＲＯＭメモリー、ＥＰＲＯＭメモリー、ＥＥＰＲＯＭメモリー、レジスタ、ハードディスク、移動式ディスク、ＣＤ−ＲＯＭ、または技術的に公知となった任意の他の形態の保存媒体に常駐できる。例示的な保存媒体はプロセッサと連結され、その結果プロセッサは保存媒体から情報を読み取り保存媒体に情報を記録できる。代案として、保存媒体はプロセッサに統合されることもできる。プロセッサ及び保存媒体はＡＳＩＣ内に含まれることができる。ＡＳＩＣは端末装置内に含まれることができる。代案として、プロセッサ及び保存媒体は端末装置内に個別のコンポーネントとして含まれることができる。
【０２８２】
以上、本発明を望ましい実施例を参照して詳細に説明したが、本発明は上記の実施例に限定されるのではなく、以下の特許請求の範囲で請求する本発明の要旨を逸脱することなく、本発明の属する技術分野において通常の知識を有する者ならば誰でも多様な変形または修正が可能な範囲まで本発明の技術的思想が及ぶと言える。
【産業上の利用可能性】
【０２８３】
本発明による多重ネットワークに基づく同時データ伝送サービスシステム及びその方法によれば、多重ネットワーク（Heterogeneous network）環境でネットワーク選択方針に従って伝送対象データを分割して同時伝送するにあたり、端末装置が収集するネットワーク情報によって識別される多数のネットワークインターフェースのうち未登録のネットワークインターフェースを区分して接続可能なネットワークインターフェースを選別し、選別されたネットワークインターフェース情報を含むネットワーク選択方針を提供して端末装置の接続を誘導するという点で、既存技術の限界を超えることにより、関連技術に対する利用だけでなく、適用される装置の市販または営業の可能性が充分なばかりか、現実的に明白に実施できる程度であるため産業上の利用可能性のある発明である。
【符号の説明】
【０２８４】
１００：端末装置
１１０：情報取得部
１２０：制御部
１３０：通信部
２００：第１ネットワークインターフェース
３００：第２ネットワークインターフェース
４００：管理装置
５００：外部装置
６００：方針管理装置
６１０：情報生成部
６２０：方針提供部
【図１】
0006655274.tif 000002
【図２】
0006655274.tif 000003
【図３】
0006655274.tif 000004
【図４】
0006655274.tif 000005
【図５】
0006655274.tif 000006
【図６】
0006655274.tif 000007
【図７】
0006655274.tif 000008
【図８】
0006655274.tif 000009
【図９】
0006655274.tif 000010
【図１０】
0006655274.tif 000011
【図１１】
0006655274.tif 000012
【図１２】
0006655274.tif 000013